(57)【特許請求の範囲】
【請求項１】
放送済みの番組であってネットワークを通じて視聴可能な配信可能番組と、放送の番組表の中の番組とを比較し、あらかじめ決められた規則に照らして、前記番組表の中の番組と関連する番組が前記配信可能番組の中に存在するかどうかを判定する関連番組判定部と、
前記関連する番組が存在する場合は、前記関連する番組が前記配信可能番組の中に存在する旨の表示情報を前記番組表の情報に付与する表示情報付与部と、
前記番組表の情報を配信する番組表情報配信部とを備えた、番組表配信装置。
【請求項２】
放送済みの番組であってネットワークを通じて視聴可能な配信可能番組と、放送の番組表の中の番組とを比較し、あらかじめ決められた規則に照らして、前記番組表の中の番組と関連する番組が前記配信可能番組の中に存在するかどうかを判定する関連番組判定部と、
前記関連する番組が存在する場合は、前記関連する番組が前記配信可能番組の中に存在する旨の表示情報を前記番組表の情報に付与する表示情報付与部と、
前記放送する番組に、前記番組表の情報を多重する番組表多重部と、
前記番組表の情報が多重された番組を放送する放送番組配信部とを備えた、番組配信装置。
【請求項３】
放送済みの番組であってネットワークを通じて視聴可能な配信可能番組と、放送の番組表の中の番組とを比較し、あらかじめ決められた規則に照らして、前記番組表の中の番組と関連する番組が前記配信可能番組の中に存在するかどうかを判定する関連番組判定部と、
前記関連する番組が存在する場合は、前記関連する番組が前記配信可能番組の中に存在する旨の表示情報を前記番組表の情報に付与する表示情報付与部と、
前記番組表の情報を配信する番組表情報配信部と、
番組を放送する放送番組配信部とを備えた、番組配信装置。
【請求項４】
番組表配信装置によって、放送済みの番組であってネットワークを通じて視聴可能な配信可能番組と、放送の番組表の中の番組とを比較し、あらかじめ決められた規則に照らして、前記番組表の中の番組と関連する番組が前記配信可能番組の中に存在するかどうかを判定し、前記関連する番組が存在する場合に、前記関連する番組が前記配信可能番組の中に存在する旨の表示情報を付与して生成された番組表の情報を受信する番組表情報受信部と、
前記番組表の情報に付与された、前記関連する番組が前記配信可能番組の中に存在する旨の前記表示情報を制御する表示情報制御部と、
視聴した番組に基づいて視聴履歴を作成する履歴作成部とを備え、
前記表示情報制御部は、前記配信可能番組が既に視聴されていた場合、前記関連する番組が前記配信可能番組の中に存在する旨の表示を変更又は消去する、番組表受信端末。
【請求項５】
前記視聴履歴から視聴者の嗜好情報を抽出する嗜好情報抽出部とを備え、
前記表示情報制御部は、前記配信可能番組の中の前記関連する番組が前記嗜好情報と一致しない場合、前記関連する番組が前記配信可能番組の中に存在する旨の前記表示を変更又は消去する、請求項４記載の番組表受信端末。
【請求項６】
前記履歴作成部は、放送及びネットワークで視聴した視聴状況に基づいて前記視聴履歴を作成する、請求項５記載の番組表受信端末。
【請求項７】
前記嗜好情報抽出部は、前記配信可能番組の中の前記関連する番組の視聴状況にも基づいて作成された前記視聴履歴から視聴者の前記嗜好情報を抽出する、請求項６記載の番組表受信端末。
【請求項８】
放送済みの番組であってネットワークを通じて視聴可能な配信可能番組と、放送の番組表の中の番組とを比較し、あらかじめ決められた規則に照らして、前記番組表の中の番組と関連する番組が前記配信可能番組の中に存在するかどうかを判定する関連番組判定部、前記関連する番組が存在する場合は、前記関連する番組が前記配信可能番組の中に存在する旨の表示情報を前記番組表の情報に付与する表示情報付与部、及び前記番組表の情報を配信する番組表情報配信部とを有する、番組表配信装置と、
前記番組表の情報を受信する番組表情報受信部、前記番組表の情報に付与された、前記関連する番組が前記配信可能番組の中に存在する旨の前記表示情報を制御する表示情報制御部と、視聴した番組に基づいて視聴履歴を作成する履歴作成部とを有し、前記表示情報制御部は、前記配信可能番組が既に視聴されていた場合、前記関連する番組が前記配信可能番組の中に存在する旨の表示を変更又は消去する、番組表受信端末とを備えた番組表送受信システム。
【請求項９】
前記関連する番組は、前記配信可能番組に対して、連続性を有する、同一の出演者を有する、又は同一のジャンルを有する関連性がある番組である、請求項１記載の番組表配信装置。
【請求項１０】
放送済みの番組であってネットワークを通じて視聴可能な配信可能番組と、放送の番組表の中の番組とを比較し、あらかじめ決められた規則に照らして、前記番組表の中の番組と関連する番組が前記配信可能番組の中に存在するかどうかを判定する関連番組判定ステップと、
前記関連する番組が存在する場合は、前記関連する番組が前記配信可能番組の中に存在する旨の表示情報を前記番組表の情報に付与する表示情報付与ステップと、
前記番組表の情報を配信する番組表情報配信ステップとを備えた、番組表配信方法。
【請求項１１】
番組表配信方法によって、放送済みの番組であってネットワークを通じて視聴可能な配信可能番組と、放送の番組表の中の番組とを比較し、あらかじめ決められた規則に照らして、前記番組表の中の番組と関連する番組が前記配信可能番組の中に存在するかどうかを判定し、前記関連する番組が存在する場合に、前記関連する番組が前記配信可能番組の中に存在する旨の表示情報を付与して生成された番組表の情報を受信する番組表情報受信ステップと、
前記番組表の情報に付与された、前記関連する番組が前記配信可能番組の中に存在する旨の前記表示情報を制御する表示情報制御ステップと、
視聴した番組に基づいて視聴履歴を作成する履歴作成ステップとを備え、
前記表示情報制御ステップにおいて、前記配信可能番組が既に視聴されていた場合、前記関連する番組が前記配信可能番組の中に存在する旨の表示が変更又は消去される、番組表受信方法。
【請求項１２】
請求項１０記載の番組表配信方法の、少なくとも、放送済みの番組であってネットワークを通じて視聴可能な配信可能番組と、放送の番組表の中の番組とを比較し、あらかじめ決められた規則に照らして、前記番組表の中の番組と関連する番組が前記配信可能番組の中に存在するかどうかを判定する関連番組判定ステップと、前記関連する番組が存在する場合は、前記関連する番組が前記配信可能番組の中に存在する旨の表示情報を前記番組表の情報に付与する表示情報付与ステップと、前記番組表の情報を配信する番組表情報配信ステップとをコンピュータに実行させるプログラム。
【請求項１３】
請求項１１記載の番組表受信方法の、少なくとも、番組表配信方法によって、放送済みの番組であってネットワークを通じて視聴可能な配信可能番組と、放送の番組表の中の番組とを比較し、あらかじめ決められた規則に照らして、前記番組表の中の番組と関連する番組が前記配信可能番組の中に存在するかどうかを判定し、前記関連する番組が存在する場合に、前記関連する番組が前記配信可能番組の中に存在する旨の表示情報を付与して生成された番組表の情報を受信する番組表情報受信ステップと、前記番組表の情報に付与された、前記関連する番組が前記配信可能番組の中に存在する旨の前記表示情報を制御する表示情報制御ステップと、視聴した番組に基づいて視聴履歴を作成する履歴作成ステップとをコンピュータに実行させるプログラムであって、
前記表示情報制御ステップにおいて、前記配信可能番組が既に視聴されていた場合、前記関連する番組が前記配信可能番組の中に存在する旨の表示を変更又は消去する、プログラム。
【請求項１４】
請求項１２又は請求項１３記載のプログラムを記録した記録媒体であって、コンピュータにより処理可能な記録媒体。
【発明の詳細な説明】
【技術分野】
【０００１】
本発明は、番組表配信装置、番組配信装置、番組表受信端末、及び番組表送受信システム等に関するものである。
【背景技術】
【０００２】
近年、ユーザが視聴あるいは録画をし忘れた番組（見忘れ番組）を後で視聴するために、テレビ局等が放送済みの番組を格納したサーバを設置し、インターネット等を経由してユーザに配信する仕組み（見忘れ番組配信）等が検討、試行されている。
【０００３】
見忘れた番組を受信する方法としては、視聴者が、見忘れた番組を指定すると、自動的に当該番組の再放送が検索されて、その再放送を受信する方式が知られている。
【０００４】
以下、例えば、特許文献１に記載された従来の見忘れ番組の受信方法について説明する。
【０００５】
図３５は従来の放送番組録画指定システムを適用可能なネットワーク構成の一実施例を示す図である。図に示すように、この再放送番組録画指定システムは、登録ユーザの携帯電話８１０と、携帯電話８１０とインターネット８６０との間でデータの授受を仲介する通信事業者側装置８２０と、個人別放送番組表サービス等のサービスを行うサービス事業者（以下、放送番組表サービス事業者ともいう）によって運営されるサービスセンタ８３０と、テレビ放送局８４０（複数）と、録画装置８５１やテレビ受信機８５２等を備えた登録ユーザの家庭８５０と、それら携帯電話８１０、通信事業者側装置８２０、サービスセンタ８３０及び登録ユーザの家庭８５０等を接続するインターネット８６０とから構成されている。
【０００６】
通信事業者側装置８２０は、基地局８２１と移動通信制御局８２２から構成されている。
【０００７】
又、放送番組表サービス等のサービス事業者は、複数のテレビ放送局８４０から各チャンネル別の番組表データを得てサービスセンタ８３０のデータベース８３２に定期的又は随時登録する。
【０００８】
登録ユーザは、携帯電話８１０を起動して、携帯電話８１０とサービスセンタ８３０の放送番組表サービスサーバ８３１とを通信事業者側装置８２０及びインターネット８６０を介して接続する。そして、登録ユーザは、接続直後に携帯電話８１０の画面に表示される選択メニューのうち、「再放送番組録画指示」メニューを選択した後、見忘れ番組が放送された日付及びチャンネルを選択する。
【０００９】
次に、携帯電話８１０に表示される、上記指定日付、指定チャンネルの複数の過去番組のうち見忘れ番組をユーザが指定すると、携帯電話（再放送番組指定要求元の携帯電話）８１０は、指定された見忘れ番組の識別情報を、通信事業者側装置８２０及びインターネット８６０を介して、サービスセンタ８３０に送信する。尚、この指定の仕方は一例であり、ダイレクトに番組名を指定するようにしても良い。
【００１０】
サービスセンタ８３０の放送番組表サービスサーバ８３１は、携帯電話８１０から見忘れ番組の識別情報を受信するとデータベース８３２に登録されている番組表データをサーチし、再放送番組があると、その番組情報を再放送番組録画要求元の携帯電話８１０に送信する。この再放送番組データの検索方法としては、テレビ放送局の番組データベース若しくはテレビ放送局から提供を受けた番組データベースを検索する方法もあるし、番組情報自体に再放送日時情報が付加されていても良い。ケーブルテレビ等１つの番組を何度も繰り返し放送する場合は、番組名と放送日時の対照表が用意してあることが多い。
【００１１】
再放送番組録画要求元の携帯電話８１０は、受信した再放送番組情報を表示し、ユーザが録画指示操作を行うと、録画指示を放送番組表サービスサーバ８３１に送信する。
【００１２】
その結果、放送番組表サービスサーバ８３１は再放送番組録画要求元の携帯電話８１０のユーザの録画装置８５１に再放送番組情報（再放送番組の放送開始時刻及びチャンネル情報等）を含む録画予約設定指示を、インターネット８６０を介して送信する。
【００１３】
再放送番組予約要求元の携帯電話８１０のユーザの録画装置８５１は、放送開始時刻が到来すると予約チャンネルのテレビ放送局８４０から放送される再放送番組を受信して、装着された記録媒体に録画する。
【００１４】
又、見忘れ番組を視聴するきっかけとして、ユーザ自身が気づいて視聴する場合のほかに、ユーザが見た分だけ視聴料を払うペーパービュー方式において、見忘れた番組があった場合、ローカル双方向テレビ番組ガイドで、ペーパービュー番組を見逃したというリマインダを表示する方式がある（特許文献２）。
【先行技術文献】
【特許文献】
【００１５】
【特許文献１】特開２００４−２００８８２号公報
【特許文献２】特表２００２−５２１８７４号公報
【発明の概要】
【発明が解決しようとする課題】
【００１６】
しかしながら、このように、（特許文献１）の従来の見忘れ番組の視聴方法は、ユーザが指定したタイミングで見忘れた番組の再放送を検索するため、ユーザが意識的に検索を行わないと、いつまでも見忘れたままになってしまう課題があった。
【００１７】
又、（特許文献２）の従来のリマインダ方式では、単に見逃したことを通知するに止まり、それ以上のユーザへの工夫は無く、結局ユーザが見忘れたままになってしまう課題があった。
【００１８】
本発明は、このような従来の視聴技術における課題を解決するもので、ユーザが特に意識的に検索を行う必要が無く、又、日常行われるテレビ放送やテレビガイドを見る行動の中で、自然に見忘れ番組に気づくことが可能な番組表配信装置、番組配信装置、番組表受信端末、及び番組表送受信システム等を提供することを目的とする。
【課題を解決するための手段】
【００１９】
上記目的を達成するために、第１の本発明は、
放送済みの番組であってネットワークを通じて視聴可能な配信可能番組と、放送の番組表の中の番組とを比較し、あらかじめ決められた規則に照らして、前記番組表の中の番組と関連する番組が前記配信可能番組の中に存在するかどうかを判定する関連番組判定部と、
前記関連する番組が存在する場合は、前記関連する番組が前記配信可能番組の中に存在する旨の表示情報を前記番組表の情報に付与する表示情報付与部と、
前記番組表の情報を配信する番組表情報配信部とを備えた、番組表配信装置である。
【００２０】
又、第２の本発明は、
放送済みの番組であってネットワークを通じて視聴可能な配信可能番組と、放送の番組表の中の番組とを比較し、あらかじめ決められた規則に照らして、前記番組表の中の番組と関連する番組が前記配信可能番組の中に存在するかどうかを判定する関連番組判定部と、
前記関連する番組が存在する場合は、前記関連する番組が前記配信可能番組の中に存在する旨の表示情報を前記番組表の情報に付与する表示情報付与部と、
前記放送する番組に、前記番組表の情報を多重する番組表多重部と、
前記番組表の情報が多重された番組を放送する放送番組配信部とを備えた、番組配信装置である。
【００２１】
又、第３の本発明は、
放送済みの番組であってネットワークを通じて視聴可能な配信可能番組と、放送の番組表の中の番組とを比較し、あらかじめ決められた規則に照らして、前記番組表の中の番組と関連する番組が前記配信可能番組の中に存在するかどうかを判定する関連番組判定部と、
前記関連する番組が存在する場合は、前記関連する番組が前記配信可能番組の中に存在する旨の表示情報を前記番組表の情報に付与する表示情報付与部と、
前記番組表の情報を配信する番組表情報配信部と、
番組を放送する放送番組配信部とを備えた、番組配信装置である。
【００２２】
又、第４の本発明は、
番組表配信装置によって、放送済みの番組であってネットワークを通じて視聴可能な配信可能番組と、放送の番組表の中の番組とを比較し、あらかじめ決められた規則に照らして、前記番組表の中の番組と関連する番組が前記配信可能番組の中に存在するかどうかを判定し、前記関連する番組が存在する場合に、前記関連する番組が前記配信可能番組の中に存在する旨の表示情報を付与して生成された番組表の情報を受信する番組表情報受信部と、
前記番組表の情報に付与された、前記関連する番組が前記配信可能番組の中に存在する旨の前記表示情報を制御する表示情報制御部と、
視聴した番組に基づいて視聴履歴を作成する履歴作成部とを備え、
前記表示情報制御部は、前記配信可能番組が既に視聴されていた場合、前記関連する番組が前記配信可能番組の中に存在する旨の表示を変更又は消去する、番組表受信端末である。
【００２３】
又、第５の本発明は、
前記視聴履歴から視聴者の嗜好情報を抽出する嗜好情報抽出部とを備え、
前記表示情報制御部は、前記配信可能番組の中の前記関連する番組が前記嗜好情報と一致しない場合、前記関連する番組が前記配信可能番組の中に存在する旨の前記表示を変更又は消去する、第４の本発明の番組表受信端末である。
【００２４】
又、第６の本発明は、
前記履歴作成部は、放送及びネットワークで視聴した視聴状況に基づいて前記視聴履歴を作成する、第５の本発明の番組表受信端末である。
【００２５】
又、第７の本発明は、
前記嗜好情報抽出部は、前記配信可能番組の中の前記関連する番組の視聴状況にも基づいて作成された前記視聴履歴から視聴者の前記嗜好情報を抽出する、第６の本発明の番組表受信端末である。
【００２６】
又、第８の本発明は、
放送済みの番組であってネットワークを通じて視聴可能な配信可能番組と、放送の番組表の中の番組とを比較し、あらかじめ決められた規則に照らして、前記番組表の中の番組と関連する番組が前記配信可能番組の中に存在するかどうかを判定する関連番組判定部、前記関連する番組が存在する場合は、前記関連する番組が前記配信可能番組の中に存在する旨の表示情報を前記番組表の情報に付与する表示情報付与部、及び前記番組表の情報を配信する番組表情報配信部とを有する、番組表配信装置と、
前記番組表の情報を受信する番組表情報受信部、前記番組表の情報に付与された、前記関連する番組が前記配信可能番組の中に存在する旨の前記表示情報を制御する表示情報制御部と、視聴した番組に基づいて視聴履歴を作成する履歴作成部とを有し、前記表示情報制御部は、前記配信可能番組が既に視聴されていた場合、前記関連する番組が前記配信可能番組の中に存在する旨の表示を変更又は消去する、番組表受信端末とを備えた番組表送受信システムである。
【００２７】
又、第９の本発明は、
前記関連する番組は、前記配信可能番組に対して、連続性を有する、同一の出演者を有する、又は同一のジャンルを有する関連性がある番組である、第１の本発明の番組表配信装置である。
【００２８】
【００２９】
【００３０】
又、第１０の本発明は、
放送済みの番組であってネットワークを通じて視聴可能な配信可能番組と、放送の番組表の中の番組とを比較し、あらかじめ決められた規則に照らして、前記番組表の中の番組と関連する番組が前記配信可能番組の中に存在するかどうかを判定する関連番組判定ステップと、
前記関連する番組が存在する場合は、前記関連する番組が前記配信可能番組の中に存在する旨の表示情報を前記番組表の情報に付与する表示情報付与ステップと、
前記番組表の情報を配信する番組表情報配信ステップとを備えた、番組表配信方法である。
【００３１】
又、第１１の本発明は、
番組表配信方法によって、放送済みの番組であってネットワークを通じて視聴可能な配信可能番組と、放送の番組表の中の番組とを比較し、あらかじめ決められた規則に照らして、前記番組表の中の番組と関連する番組が前記配信可能番組の中に存在するかどうかを判定し、前記関連する番組が存在する場合に、前記関連する番組が前記配信可能番組の中に存在する旨の表示情報を付与して生成された番組表の情報を受信する番組表情報受信ステップと、
前記番組表の情報に付与された、前記関連する番組が前記配信可能番組の中に存在する旨の前記表示情報を制御する表示情報制御ステップと、
視聴した番組に基づいて視聴履歴を作成する履歴作成ステップとを備え、
前記表示情報制御ステップにおいて、前記配信可能番組が既に視聴されていた場合、前記関連する番組が前記配信可能番組の中に存在する旨の表示が変更又は消去される、番組表受信方法である。
【００３２】
又、第１２の本発明は、
第１０の本発明の番組表配信方法の、少なくとも、放送済みの番組であってネットワークを通じて視聴可能な配信可能番組と、放送の番組表の中の番組とを比較し、あらかじめ決められた規則に照らして、前記番組表の中の番組と関連する番組が前記配信可能番組の中に存在するかどうかを判定する関連番組判定ステップと、前記関連する番組が存在する場合は、前記関連する番組が前記配信可能番組の中に存在する旨の表示情報を前記番組表の情報に付与する表示情報付与ステップと、前記番組表の情報を配信する番組表情報配信ステップとをコンピュータに実行させるプログラムである。
【００３３】
又、第１３の本発明は、
第１１の本発明の番組表受信方法の、少なくとも、番組表配信方法によって、放送済みの番組であってネットワークを通じて視聴可能な配信可能番組と、放送の番組表の中の番組とを比較し、あらかじめ決められた規則に照らして、前記番組表の中の番組と関連する番組が前記配信可能番組の中に存在するかどうかを判定し、前記関連する番組が存在する場合に、前記関連する番組が前記配信可能番組の中に存在する旨の表示情報を付与して生成された番組表の情報を受信する番組表情報受信ステップと、前記番組表の情報に付与された、前記関連する番組が前記配信可能番組の中に存在する旨の前記表示情報を制御する表示情報制御ステップと、視聴した番組に基づいて視聴履歴を作成する履歴作成ステップとをコンピュータに実行させるプログラムであって、
前記表示情報制御ステップにおいて、前記配信可能番組が既に視聴されていた場合、前記関連する番組が前記配信可能番組の中に存在する旨の表示を変更又は消去する、プログラムである。
【００３４】
又、第１４の本発明は、
第１２又は第１３の本発明のプログラムを記録した記録媒体であって、コンピュータにより処理可能な記録媒体である。
【発明の効果】
【００３５】
本発明によれば、ユーザが特に意識的に検索を行う必要が無く、又、日常行われるテレビ放送やテレビガイドを見る行動の中で、自然に見忘れ番組に気づくことが可能な番組表配信装置、番組配信装置、番組表受信端末、及び番組表送受信システム等を提供することが出来る。
【図面の簡単な説明】
【００３６】
【図１】本発明の実施の形態１における番組送受信システムの構成を表す図
【図２】本発明の実施の形態１における「見逃し有」マーク付与処理の流れを示す図
【図３】（ａ）、（ｂ）本発明の実施の形態１におけるＥＰＧの一例を表す図
【図４】本発明の実施の形態１における履歴管理処理の流れを示す図
【図５】本発明の実施の形態１におけるＥＰＧ表示準備処理の流れを示す図
【図６】（ａ）、（ｂ）本発明の実施の形態１におけるＥＰＧの一例を表す図
【図７】本発明の実施の形態２における番組送受信システムの構成を表す図
【図８】本発明の実施の形態２における「見逃し有」マーク付与処理の流れを示す図
【図９】本発明の実施の形態３における番組送受信システムの構成を表す図
【図１０（ａ）】本発明の実施の形態３における放送番組受信処理の流れを示す図
【図１０（ｂ）】本発明の実施の形態３における履歴管理処理の流れを示す図
【図１０（ｃ）】本発明の実施の形態３における嗜好抽出処理の流れを示す図
【図１１】本発明の実施の形態３における「見忘れ番組」情報受信処理の流れを示す図
【図１２】（ａ）、（ｂ）本発明の実施の形態３におけるＥＰＧの一例を表す図
【図１３】本発明の実施の形態３における放送番組受信処理の流れを示す図
【図１４】（ａ）、（ｂ）本発明の実施の形態３におけるＥＰＧの一例を表す図
【図１５】（ａ）、（ｂ）本発明の実施の形態３におけるＥＰＧの別の一例を表す図
【図１６】本発明の実施の形態３における番組送受信システムの別の一例の構成を表す図
【図１７】本発明の実施の形態３における番組送受信システムの別の一例の構成を表す図
【図１８】本発明の実施の形態４における番組送受信システムの構成を表す図
【図１９】（ａ）、（ｂ）本発明の実施の形態４におけるＥＰＧの一例を表す図
【図２０】本発明の実施の形態４におけるＥＰＧの別の一例を表す図
【図２１】本発明の実施の形態４におけるＥＰＧの別の一例を表す図
【図２２】本発明の実施の形態５における番組送受信システムの構成を表す図
【図２３】本発明の実施の形態５における「見忘れ番組」情報受信処理の流れを示す図
【図２４】本発明の実施の形態３における番組送受信システムの別の一例の構成を表す図
【図２５】本発明の実施の形態３における履歴管理処理の流れの別の一例を示す図
【図２６】本発明の実施の形態３における「見忘れ番組」情報受信処理の流れの別の一例を示す図
【図２７】（ａ）、（ｂ）本発明の実施の形態におけるＥＰＧの別の一例を表す図
【図２８（ａ）】本発明の実施の形態におけるＥＰＧの別の一例を表す図
【図２８（ｂ）】本発明の実施の形態におけるＥＰＧの別の一例を表す図
【図２８（ｃ）】本発明の実施の形態におけるＥＰＧの別の一例を表す図
【図２９】（ａ）、（ｂ）本発明の実施の形態におけるＥＰＧの別の一例を表す図
【図３０】本発明の実施の形態３における番組送受信システムの別の一例の構成を表す図
【図３１】本発明の実施の形態３における番組送受信システムの別の一例の構成を表す図
【図３２】（ａ）、（ｂ）本発明の実施の形態における見忘れ有マーク付与の別の一例を表す図
【図３３】本発明の実施の形態１における番組送受信システムの別の一例の構成を表す図
【図３４】本発明の実施の形態２における番組送受信システムの別の一例の構成を表す図
【図３５】従来の番組受信システムを表す図
【発明を実施するための形態】
【００３７】
以下、本発明にかかる実施の形態について図面を参照しながら説明する。
【００３８】
（実施の形態１）
以下に、本発明の番組表送受信システムの一例である実施の形態１の番組送受信システムについて、図面を参照しながら説明する。
【００３９】
図１は、本発明の実施の形態１における番組送受信システムの構成を表す図である。
【００４０】
図１に示すように、本実施の形態１における番組送受信システムには、番組を放送する放送局１と、放送される番組を受信するためにユーザが所有している番組受信装置４が設けられている。
【００４１】
本実施の形態１における番組送受信システムの概要を説明すると、放送局１によって「見逃し有」マークが付与された電子番組表（Ｅｌｅｃｔｒｉｃ  Ｐｒｏｇｒａｍ  Ｇｕｉｄｅ）（以下、ＥＰＧと記す）が受信可能エリアの全戸に共通に配信される。そして、各戸毎に、番組受信装置４は、ＥＰＧを受信した際に視聴履歴及び嗜好履歴等に基づいて、受信したＥＰＧから「見逃し有」マークの変更及び不要な「見逃し有」マークの消去等の処理を行い、その処理後のＥＰＧをユーザに提示する。
【００４２】
本実施の形態１における放送局１には、通常放送番組システム部１０と、見逃し番組システム部２０が設けられている。尚、通常放送とは、地上波デジタル放送やＢＳデジタル放送等をさすが、ＥＰＧが生成可能な放送であれば、特に限定されるものではない。又、この放送局１が、本発明の番組配信装置の一例に相当する。
【００４３】
はじめに、本発明の番組表配信装置及び番組配信装置の一例に相当する放送局１の構成について説明する。
【００４４】
上記通常放送番組システム部１０には、番組を放送する放送番組配信部１１と、ＥＰＧを生成する番組表情報管理部１２と、ＥＰＧを放送番組に多重する番組表多重部１４が設けられている。更に、通常放送番組システム部１０には、後述する格納部２３に格納された配信可能な番組（以下、「配信可能番組」という）に関連する「関連番組」を特定する関連番組特定部１６と、特定された「関連番組」が、ＥＰＧに存在するか否かを判定する関連番組判定部１５と、「関連番組」がＥＰＧに存在する場合に「関連番組」の番組欄に「見逃し有」マークを付与する見逃し情報付与部１３が設けられている。
【００４５】
又、上記見逃し番組システム部２０には、既に放送された番組を格納する格納部２３と、格納部２３に格納されている「配信可能番組」の情報を抽出する配信可能番組情報抽出部２２と、抽出された配信可能番組の情報を管理し、通常放送番組システム部１０に送信する配信可能番組情報管理部２６と、番組受信装置４からの要求によって、「見逃し番組」を番組受信装置４へと配信する見逃し番組配信部２５が設けられている。尚、「配信可能番組」に関する情報の例示としては、番組名、放送日時、連続番組、ジャンル、出演者、再生時間等が挙げられる。
【００４６】
次に、本発明の番組表受信端末の一例に相当する番組受信装置４の構成について説明する。
【００４７】
本実施の形態１における番組受信装置４には、放送局１の放送番組配信部１１からの放送を受信する受信部３０と、受信部３０によって受信した情報からＥＰＧについての情報を抽出する番組表情報抽出部３１が設けられている。
【００４８】
又、ユーザがチャンネル選択して受信した番組に基づいて、視聴履歴を作成し、視聴の傾向や履歴を管理する履歴管理部４２が設けられている。この履歴管理部４２には、過去の所定のＥＰＧ情報と、受信した番組に基づいて視聴履歴を作成する履歴作成部５１と、作成された履歴を保存する履歴保存部５２が設けられている。又、番組受信装置４には、上記履歴保存部５２に保存されている視聴履歴に基づいてユーザの嗜好情報を抽出する嗜好情報抽出部４３と、抽出された嗜好情報が保存される嗜好情報保存部４９が設けられている。又、視聴履歴、及び嗜好情報等に基づいて、抽出されたＥＰＧに付与されている「見逃し有」マークを変更又は消去する等、見逃し情報の制御を行う見逃し情報制御部４５が設けられている。
【００４９】
又、番組受信装置４には、インターネット等の公衆回線網３を経由して放送局１の見逃し番組システム部２０と接続される通信部４０が設けられている。
【００５０】
更に、番組受信装置４には、ユーザからの操作入力を受信する操作入力受信部４６と、操作入力によって「見逃し有」マークが選択されることによって見逃し番組システム部２０から、通信部４０を介してユーザが見逃した番組を受信する見逃し番組受信部４１が設けられている。尚、ユーザからの操作入力としては、リモコン、タッチパネル等を利用して画面上から直接メニューを選択して行う、又は、テレビ本体のスイッチ等の操作により行う等といった種々の方法を用いることが出来る。
【００５１】
尚、受信部３０で受信した放送やそれに関する情報、見逃し番組受信部４１で受信した「見逃し番組」やそれに関する情報、ＥＰＧ情報等は、表示画面４７により表示される。この表示画面の一例としては、液晶ディスプレイ等が相当する。又、番組受信装置４の一例としては、ＴＶ等が相当する。又、この表示画面４７へのＥＰＧの表示を制御する番組表表示制御部４４が設けられている。
【００５２】
又、放送局１の見逃し番組配信部２５と、番組受信装置４の通信部４０は、公衆回線網３を介して接続されている。
【００５３】
尚、本発明の表示情報付与部の一例は、本実施の形態１における見逃し情報付与部１３に相当する。又、本発明の放送番組配信部と兼ねられている番組表情報配信部の一例は、本実施の形態１における放送番組配信部１１に相当する。又、本発明の表示情報制御部の一例は、本実施の形態１における見逃し情報制御部４５に相当し、本発明の番組表情報受信部の一例は、本実施の形態１における受信部３０に相当する。
【００５４】
次に、本実施の形態１における番組送受信システムの動作について、図面を参照しながら説明するとともに、本発明の番組表送信方法及び番組表受信方法の一例についても同時に述べる。
【００５５】
はじめに、放送局１においてＥＰＧに「見逃し有」マークが付与される処理について説明する。
【００５６】
図２は、放送局１において、ＥＰＧに「見逃し有」マークが付与されるまでの処理を説明するためのフロー図である。又、図３（ａ）、（ｂ）は、ＥＰＧの一例を示す図である。尚、図面では、ステップのことをＳと省略して記載する。
【００５７】
ステップＳ１１において、「見逃し有」マーク付与処理が開始されると、ステップＳ１２において、放送局１の配信可能番組情報抽出部２２が、格納部２３に格納されている「配信可能番組」に関する情報を抽出する。具体的には、「配信可能番組」として連続ドラマＡ１の第１話、及び第２話が、格納部２３に保存されている場合には、この連続ドラマＡ１の第１話、第２話に関する情報が抽出される。尚、格納部２３に、連続ドラマＡ１以外の番組が格納されている場合には、全ての番組に関する情報が抽出される。
【００５８】
そして、ステップＳ１３において、関連番組特定部１６は、この抽出された情報から「配信可能番組」に関連する「関連番組」を予め決められた規則に基づいて特定する。
【００５９】
具体的には、「配信可能番組」として連続ドラマＡ１の第１話、及び第２話が、格納部２３に保存されている場合には、「関連番組」は、連続ドラマＡ１の第２話以降の第３話、第４話・・・と特定される。この場合は、予め決められた規則とは、「連続ドラマの場合どれか１話でも『配信可能番組』として格納されていると、その連続ドラマのシリーズ全番組が『関連番組』として特定される」という規則である。
【００６０】
上記のように、「関連番組」が特定されると、ステップＳ１４において、番組表情報管理部１２で管理されている、今後の２週間分のＥＰＧの番組の中に、その「関連番組」が存在するか否かのチェックが、関連番組判定部１５において行われる。このステップＳ１４が、本発明の関連番組判定ステップの一例に相当する。
【００６１】
そして、ステップＳ１４において、「関連番組」（ここでは、連続ドラマＡ１の第３話とする）が、ＥＰＧ内に存在する場合には、その旨が見逃し情報付与部１３へと送信され、ステップＳ１５において、見逃し情報付与部１３は、「関連番組」としてＥＰＧの連続ドラマＡ１の第３話の枠に「見逃し有」マークを付与し、ステップＳ１６においてＥＰＧ情報を更新する。このステップＳ１５が、本発明の表示情報付与ステップの一例に相当する。尚、本発明の関連する番組の一例は、ＥＰＧ内の番組の中に存在し「配信可能番組」に関連する番組（例えば、連続ドラマＡ１  第３話）と、「配信可能番組」の中に存在しＥＰＧ内の番組に関連する番組（例えば、連続ドラマＡ１  第１話及び第２話）に相当する。
【００６２】
図３（ａ）は、ＥＰＧ３０００を示す図である。又、図３（ｂ）は、「見逃し有」マーク３００２が付与されたＥＰＧ３００１を示す図である。本発明の番組表の一例は、ＥＰＧ３０００に相当する。尚、図３（ａ）に示すＥＰＧ３０００の表示可能な期間の一例は、現在の時間帯から２週間の期間である。ここで、時間帯とは、ある時刻とある時刻の間の一定の時間帯のことである。又、現在の時間帯とは、例えば、１時間単位の時間帯のことであり、現在の時刻が５月１１日の１７時台の時間帯（例えば、１７時４０分）である場合には、ＥＰＧは１７時から２週間分の期間の番組表となる。
【００６３】
そして、処理は、ステップＳ１７へと進み、他の「配信可能番組」の有無のチェックが行われる。
【００６４】
一方、図２に戻り、ステップＳ１４において、もし、「関連番組」（ここでは連続ドラマＡ１の第３話、第４話・・）がＥＰＧ内になければ、処理は、ステップＳ１７へと進む。尚、一度チェックした「配信可能番組」に関しても、後に配信されるＥＰＧに存在する場合があるため、定期的にチェックする方がより好ましい。
【００６５】
そして、ステップＳ１７において、他の「配信可能番組」が格納部２３に存在するか否かが、配信可能番組情報管理部２６によって判定される。もし、他の「配信可能番組」が存在する場合には、処理はステップＳ１８へと進み、配信可能番組情報管理部２６が、「関連番組」の有無をチェックした「配信可能番組」を記録する。そして、ステップＳ１３へと戻り、他の「配信可能番組」の「関連番組」の特定が行われる。ここで、他の「配信可能番組」として、例えば、毎週異なった動物の生態等を説明する情報番組Ａ１の第１回が格納されている場合には、情報番組Ａ１の第１回目以降の第２回、第３回・・・が「関連番組」として特定される。又、異なった職種について説明するような情報番組Ａ２の第２回が格納されている場合には、情報番組Ａ２の第２回目以降の第３回、第４回・・・が「関連番組」として特定される。この場合は、予め決められた規則とは、「情報番組の場合どれか１回でも『配信可能番組』として格納されていると、情報番組の全番組が『関連番組』として特定される」というものである。
【００６６】
そして、この「関連番組」（ここでは、情報番組Ａ１の第２回、第３回・・・とする。）が、ＥＰＧ内に存在するか否かの判定が行われ、存在する場合には、ＥＰＧに「見逃し有」マークが付与され、ＥＰＧが更新される（ステップＳ１４〜１６）、一方、存在しない場合には、他の「配信可能番組」が有るか否かの判定が行われる（ステップＳ１７）。
【００６７】
全ての「配信可能番組」に関する処理が完了すると、ステップＳ１９において、見逃しマーク付与処理が完了する。
【００６８】
尚、「見逃し有」マークが付与されたＥＰＧが送信される場合、ＥＰＧは、番組表多重部１４によって放送番組に多重されて、放送番組配信部１１から、受信可能エリアにある番組受信装置４へと送信される。このＥＰＧの送信処理が、本発明の番組表情報配信ステップの一例に相当する。
【００６９】
又、現在地上波デジタル放送では、番組表は局ごとに生成、送信されるため、他の放送局１ａ〜１ｃでも放送局１と同じ処理を行うと、全局のＥＰＧに関して「見逃し有」マークを付与することが可能となる。
【００７０】
次に、本発明の実施の形態１における番組受信装置４の処理について説明する。
【００７１】
はじめに、番組受信装置４が行う処理のうち、放送番組を受信した際に、日頃行っておく履歴管理処理について説明する。図４は、本発明の実施の形態１における番組受信装置４が、放送番組を受信した際に、日頃行っておく動作である履歴管理処理の流れを示す図である。
【００７２】
図４に示すように、ステップＳ２１において、ユーザが放送番組を受信部３０で受信することによって履歴管理処理が開始される。放送番組の受信後、ステップＳ２２において、受信した番組名や時刻等を履歴作成部５１が抽出する。一方、ステップＳ２３に示すように、履歴作成部５１には、放送番組に多重して受信したＥＰＧも送信される。履歴作成部５１は、ステップＳ２４において、このＥＰＧ情報と抽出した番組名や時刻等から、過去の所定期間において視聴した番組名及び時刻等の視聴履歴を作成する。そして、ステップＳ２５において、視聴履歴及びＥＰＧ情報等は、履歴保存部５２に保存される。
【００７３】
続いて、ステップＳ２６において、嗜好情報抽出部４３が、履歴保存部５２に保存されている視聴履歴に基づいて、予め決められた規則に基づき、ユーザの「嗜好情報」を抽出する。例えば、連続ドラマやニュースよりも情報番組の分野の視聴の回数が多い場合には、情報番組がユーザの嗜好であるという「嗜好情報」が抽出される。この場合、予め決められた規則とは、「過去の視聴の履歴の中で、統計的にみて、特定の分野の番組の視聴の回数が他の分野の番組に比べて格段に多い場合（例えば、３倍以上）、その特定の分野がユーザの嗜好であるとして『嗜好情報』が特定される。」という規則である。
【００７４】
そして、ステップＳ２７において、抽出された嗜好情報は、嗜好情報保存部４９に保存され、ステップＳ２８において、履歴管理処理は完了する。
【００７５】
このように、視聴履歴作成、及び嗜好情報の特定が日頃行われている。尚、本実施の形態では、放送番組を受信したことによって履歴管理処理が開始されているが、放送番組の受信をトリガーとせず、定期的に行われ、その間に受信した放送番組を一括して処理しても良い。更に、履歴作成と嗜好情報の特定は図４のように連続して行われる必要はなく、別々に行われても良い。尚、詳しくは後述するが、放送番組の受信には、「見逃し番組」の受信も含まれている。
【００７６】
次に、ＥＰＧを受信した後の本発明の実施の形態１における番組受信装置４のＥＰＧ表示準備処理の流れについて説明する。
【００７７】
図５は、ＥＰＧを受信した後の番組受信装置４のＥＰＧ表示準備処理の流れを示す図である。
【００７８】
図５のステップＳ３１において、番組受信装置４の受信部３０が放送番組を受信すると、ＥＰＧ表示準備処理が開始され、ステップＳ３２において、番組表情報抽出部３１は、受信部３０からＥＰＧを抽出する。この抽出されたＥＰＧは、見逃し情報制御部４５へと送信される。このＥＰＧを受信する処理が、本発明の番組表情報受信ステップの一例に相当する。
【００７９】
そして、ステップＳ３３において、見逃し情報制御部４５は、受信したＥＰＧの「見逃し有」マークをチェックし、ステップＳ３４において、「見逃し有」マークが付与されている「関連番組」の情報を受信する。尚、「関連番組」の情報の受信に関しては、ＥＰＧの番組情報から見逃し情報制御部４５が判定しても良いし、通信部４０を経由して見逃し番組システム部２０から受信してもよく、特に限定されるものではない。
【００８０】
具体的には、上述したように、連続ドラマＡ１の第３話以降が、「関連番組」と規定されているため、例えば、連続ドラマＡ１が毎週放送され、ＥＰＧに２週間の情報が記載されている場合には、連続ドラマＡ１の第３話と第４話が、ＥＰＧに掲載されており、第３話と第４話に「見逃し有」マークが付与されていることになる。図６（ａ）には、このように連続ドラマＡ１の第３話の枠に「見逃し有」マーク３００５が付与されているＥＰＧ３００４が示されている。尚、次の回の連続ドラマＡ１（第４話）を含む２０時代の番組については、画面をスクロールして確認することになる。尚、ＥＰＧ３００４には、情報番組Ａ１にも、「見逃し有」マーク３００６が付与されている。
【００８１】
次に、「関連番組」の情報を受信した後、ステップＳ３５において、見逃し番組制御部４５は履歴管理部４２から受信した視聴履歴をチェックする。そして、ステップＳ３６において、この「見逃し有」マークに該当する「配信可能番組」を視聴済みであれば、再度この「配信可能番組」を視聴する可能性が低いため、該当する「見逃し有」マークの表示が消去される。具体的には、放送局１が、連続ドラマＡ１の第１話、第２話が配信可能であるとして、ＥＰＧ内の連続ドラマＡ１の第３話及び第４話に、「見逃し有」マークを付与した場合であっても、番組受信装置４のユーザが、既に連続ドラマＡ１の第１話及び第２話を視聴していると、再度、連続ドラマＡ１の第１話及び第２話を視聴する可能性が低いため、連続ドラマＡ１の第３話に付与されている「見逃し有」マークが消去される。
【００８２】
もし、ステップＳ３６において、「配信可能番組」（連続ドラマＡ１の第１話及び第２話）を受信していなければ、見逃し情報制御部４５は、嗜好情報保存部４９から、嗜好情報を取り出し、ステップＳ３９において、当該「配信可能番組」とユーザの嗜好が不一致であるか否かのチェックを行う。もし、不一致であれば、見逃し情報制御部４５は、ユーザが「配信可能番組」を視聴する可能性が低いと判定し、ステップＳ３７へと処理が進み、該当する「見逃し有」マークが消去される。具体的には、ユーザが、連続ドラマＡ１の第１話及び第２話を視聴していない場合であって、例えば、ユーザの嗜好が「情報番組」とされていると、「配信可能番組」とユーザの「嗜好情報」とは不一致であるため、連続ドラマＡ１の第１話及び第２話を視聴する可能性が低いとして、第３話の枠に付与されている「見逃し有」マークが消去されることになる。
【００８３】
一方、ステップＳ３６において、ユーザの嗜好と「配信可能番組」が一致すれば、即ち「配信可能番組」が通常放送で放送された段階でも未視聴で且つユーザの嗜好にもあっているので、ユーザが実際に見逃した可能性が高いため、当該「配信可能番組」を視聴する可能性が高いと判定して「見逃し有」マークはそのまま表示される。
【００８４】
そして、ステップＳ３８において、全ての「見逃し有」マークに関して同様のチェックが行われたか否かが、見逃し情報制御部４５において確認され、行われていれば、ステップＳ４０において、ＥＰＧ表示準備処理が完了する。一方、全ての「見逃し有」マークに関するチェックが完了していない場合には、他の「見逃し有」マークに関して、同様のチェックが行われる。例えば、連続ドラマＡ１の第４話に関しても上記と同様のチェックが行われる。又、図６（ａ）に示すように、情報番組Ａ１に「見逃し有」マーク３００６が付与されているため、この情報番組Ａ１に関しても同様のチェックが行われる。上記ステップＳ３６、３９、３７が、本発明の表示情報制御ステップの一例に相当する。尚、連続ドラマＡ１の第４話に関しては、第３話と同じ連続番組として、同時に処理しても良い。又、放送局１が配信するＥＰＧに付与するマークとして、単なる「見逃し有」マークの代わりに、「見逃し有、第１話、第２話」という表示を付与し、ユーザが第１話を視聴していた場合、番組受信装置４が、この表示を「見逃し有、第２話」というように変更しても良い。又、「配信可能番組」をユーザが視聴していた場合、若しくは嗜好に一致しない場合に、「見逃し有」マークを消去せず、「見逃し有」マークの色を変える等というように変更しても良い。
【００８５】
尚、ユーザがＥＰＧを表示させることを選択すると、リモコンや操作パネルからの操作入力を操作入力受信部４６が受信し、番組表表示制御部４４によって表示画面４７にＥＰＧが表示される。図６（ａ）に示すＥＰＧ３００４は、放送局１から送信された状態の一例を示す図である。この状態では、「見逃し有」マーク３００５、３００６が付与されている。図６（ａ）に示すＥＰＧ３００４では、「見逃し有」マーク３００５が、２チャンネルの連続ドラマＡ１（第３話）に付与され、「見逃し有」マーク３００６が情報番組Ａ１に付与されている。ここで、５月１１日以前の連続ドラマＡ１及び情報番組Ａ１について、視聴しておらず、且つユーザの「嗜好情報」が連続ドラマであるとすると、連続ドラマＡ１は、ユーザの嗜好情報と一致しているため、「見逃し有」マーク３００５は、そのまま表示される。一方、情報番組Ａ１は、ユーザの嗜好情報と一致していないため、「見逃し有」マーク３００６は消去される。このような状態のＥＰＧ３００７が、図６（ｂ）に示されている。
【００８６】
図６（ｂ）に示されているＥＰＧ３００７において、ユーザが連続ドラマＡ１の枠で、例えばリモコンの決定ボタンを押すと、通常は連続ドラマＡ１の第３話の情報が表示されるが、例えばデータ放送受信用ボタン等、特定のボタンを押すと、「見逃し有」マーク３００５が選択される。
【００８７】
すると、操作入力受信部４６が選択指示を受けることによって、番組受信装置４は、公衆回線網３を介して見逃し番組システム部２０にアクセスする。そして、見逃し番組システム部２０は、見逃し番組配信部２５から連続ドラマＡ１の第１話を、公衆回線網３を介して番組受信装置４へと送信する。送信された番組を、通信部４０を介して見逃し番組受信部４１が受信することで、表示画面４７にユーザが見逃した番組が表示され、視聴が開始される。
【００８８】
そして、見逃した番組を受信した後、見逃し情報制御部４５によって、ＥＰＧの「見逃し有」マーク３００５が消去される。ここで、見逃し番組受信部４１によって受信した番組に関する情報も、履歴作成部５１へと送信され、この番組に関する情報も考慮して視聴履歴が作成され、履歴保存部５２に保存される。このため、ユーザの嗜好情報が抽出される際に、見逃した番組の視聴履歴も考慮されることになる。尚、本実施の形態１では、連続ドラマＡ１の第１話及び第２話を見逃していたため、双方とも受信した後、「見逃し有」マーク３００５は消去されることになる。又、単なる「見逃し有」マークの代わりに、「見逃し有、第１話、第２話」と表示し、第１話を視聴後に、「見逃し有、第２話」というように表示を変更しても良い。
【００８９】
以上のように、本実施の形態１では、放送局１が配信可能な番組に関連する番組が、ＥＰＧに存在する場合、配信可能な番組があることを、ＥＰＧに「見逃し有」マークを付与することによって、複数のユーザに知らせる。しかしながら、それらの番組は、ユーザによっては既に視聴した場合や、趣味と一致しない場合がある。このため、放送局１によって付与された「見逃し有」マークのうち、ユーザ側の番組受信装置４が、不要な「見逃し有」マークを消去することによって、ユーザが実際に見逃した可能性の高い番組（「見逃し番組」）をＥＰＧに表示させることが可能となる。そして、番組視聴端末は放送局に蓄積された見逃し番組システム部から取得した見逃し番組を再生することが出来る。
【００９０】
このように、連続ドラマ等で、見逃した回を、次の回が開始されるまでに視聴しておきたい場合等に、例えば、自分が見逃した番組の存在を忘れていてもテレビ視聴や録画の際によく利用されるＥＰＧを視るだけで、次の回（関連する番組）をトリガー（契機）として、次の回が始まるまでに、ユーザに「見逃した番組」の存在をより気付かせることが可能になる。このように、連続性のある番組の見逃しに対しても配慮しており、ユーザに対して非常に親切な装置である。
【００９１】
又、上述のように、嗜好情報の特定は、番組受信装置４によって日頃行われているが、必ずしもこれに限らず、日頃は行わず、放送局１がＥＰＧを送信する旨の信号を番組受信装置４に送信した後で、番組受信装置４が嗜好情報の特定を行っても良い。
【００９２】
尚、本実施の形態では、ＥＰＧを表示させる表示画面と、放送する番組の表示画面とが同じものであったが、別々に設けられていても良い。
【００９３】
（実施の形態２）
次に、本発明の番組表送受信システムの一例である実施の形態２における番組送受信システムについて、図面を参照しながら説明する。本実施の形態２の番組送受信システムの基本的な構成は、実施の形態１と同様であるが、ＥＰＧが公衆回線網３を経由して送信されることが異なっている。そのため、本相違点を中心に説明する。尚、実施の形態１と同様の構成については同一の符号が付されている。
【００９４】
図７は、本発明にかかる実施の形態２における番組送受信システムの構成を示す図である。図７に示すように、本実施の形態２における番組送受信システムには、放送局６０と、番組表配信装置６１と、本発明の番組表受信端末の一例である番組受信装置６２が設けられている。この放送局６０及び番組表配信装置６１が、本発明の番組配信装置の一例に相当する。
【００９５】
そして、放送局６０には通常放送番組システム部６３と、見逃し番組システム部６４が設けられている。通常放送番組システム部６３には、番組を放送する放送番組配信部１１と、ＥＰＧを生成する番組表情報管理部１２が設けられている。又、見逃し番組システム部６４には、格納部２３と、配信可能番組情報抽出部２２と、見逃し番組配信部２５が設けられており、実施の形態１の見逃し番組システム部２０と異なり、配信可能番組情報管理部２６は設けられていない。
【００９６】
又、本実施の形態２における番組表送信装置６１には、配信可能番組情報抽出部２２によって抽出された「配信可能番組」に関する情報を受信する配信可能番組情報受信部６６と、受信した「配信可能番組」に関する情報を管理する配信可能番組情報管理部２６と、「配信可能番組」に関する情報に基づいて「関連番組」を特定する関連番組特定部１６と、「関連番組」がＥＰＧ内に存在するか否かを判定する関連番組判定部１５と、番組表情報管理部１２で生成されたＥＰＧに関する情報を受信する番組表情報受信部６７と、ＥＰＧに「見逃し有」マークを付与する見逃し情報付与部１３と、ＥＰＧを番組受信装置６２に公衆回線網３を介して送信する番組表配信部６５が設けられている。尚、ＥＰＧの配信は、番組受信装置６２からの要求によるものでもよく、定期的に行われても良く、配信タイミングは特に限定されるものではない。
【００９７】
又、本実施の形態２における番組受信装置６２では、公衆回線網３を介してＥＰＧが送信されてくるため、実施の形態１の番組受信装置４と比較して、受信部３０で受信した情報からＥＰＧ情報を抽出する番組表情報抽出部３１が設けられておらず、通信部４０で受信した情報からＥＰＧ情報を抽出する番組表情報抽出部６８が設けられている。
【００９８】
尚、本発明の番組表情報配信部の一例は、本実施の形態２における番組表配信部６５に相当する。又、本発明の番組表情報受信部の一例は、本実施の形態２における通信部４０に相当する。
【００９９】
次に、本実施の形態２における番組送受信システムの動作について、図面を参照しながら説明するとともに、本発明の番組表送信方法及び番組表受信方法の一例についても同時に述べる。
【０１００】
はじめに、ＥＰＧに「見逃し有」マークが付与される処理について説明する。
【０１０１】
図８は、番組表配信装置６１において、ＥＰＧに「見逃し有」マークが付与されるまでの「見逃し有」マーク付与処理を説明するためのフロー図である。
【０１０２】
ステップＳ４１において、「見逃し有」マークの付与処理が開始されると、ステップＳ４２において、番組表情報受信部６７が、番組表情報管理部１２からＥＰＧ情報を受信する。次に、ステップＳ４３において、配信可能番組情報受信部６６が、配信可能番組情報抽出部２２に「配信可能番組」に関する情報を要求し、受信する。尚、配信可能番組情報受信部６６は「配信可能番組」に関する情報を要求せずに、「配信可能番組」に関する情報が送られてきてから以降の処理を行っても良い。ここで、「配信可能番組」が複数存在する場合には、全ての「配信可能番組」に関する情報を配信可能番組情報受信部６６は受信する。
【０１０３】
そして、ステップＳ４４において、関連番組特定部１６は、抽出された情報から「配信可能番組」に関連する「関連番組」を予め決められた規則に基づいて特定する。尚、詳細は実施の形態１と同様のため省略する。
【０１０４】
「関連番組」が特定されると、ステップＳ４５において、番組表情報管理部１２で管理されている、今後の２週間分のＥＰＧの番組の中に、その「関連番組」があるか否かのチェックが、関連番組判定部１５において行われる。
【０１０５】
そして、ステップＳ４５において、「関連番組」が、ＥＰＧ内に存在する場合には、その旨が見逃し情報付与部１３へと送信され、ステップＳ４６において、見逃し情報付与部１３は、「関連番組」の枠に「見逃し有」マークを付与し、ステップＳ４７において、ＥＰＧ情報を更新する。そして、処理は、ステップＳ４８へと進み、他の「配信可能番組」の有無のチェックが行われる。
【０１０６】
一方、ステップＳ４５において、もし、「関連番組」がＥＰＧ内になければ、処理は、ステップＳ４８へと進む。尚、一度チェックした「配信可能番組」に関しても、後に配信されるＥＰＧに存在する場合があるため、定期的にチェックする方がより好ましい。
【０１０７】
そして、ステップＳ４８において、他の「配信可能番組」が存在するか否かが、配信可能番組情報管理部２６によって判定される。もし、他の「配信可能番組」が存在する場合には、処理はステップＳ４９へと進み、配信可能番組情報管理部２６が、「関連番組」の有無をチェックした「配信可能番組」を記録する。そして、ステップＳ４４へと戻り、他の種類の「配信可能番組」の「関連番組」の特定が行われる。
【０１０８】
全ての「配信可能番組」に関する処理が完了すると、ステップＳ５０において、見逃し有マーク付与処理が完了する。
【０１０９】
次に、ＥＰＧを受信した後の番組受信装置６２の制御について説明する。
【０１１０】
本実施の形態２における番組送受信システムでは、番組受信装置６２は、公衆回線網３を経由して番組表配信装置６１からＥＰＧを受信すると、番組表情報抽出部６８が通信部４０からＥＰＧを抽出する。このＥＰＧ情報を抽出した後の処理については、実施の形態１と同様であるため説明を省略する。
【０１１１】
以上のように、本実施の形態２においても、ユーザが実際に見逃した可能性の高い番組（「見逃し番組」）をＥＰＧに表示させることが可能となり、連続ドラマ等で、見逃した回を、次の回が開始されるまでに視聴しておきたい場合等に、例えば、自分が見逃した番組の存在を忘れていてもテレビ視聴や録画の際によく利用されるＥＰＧを視るだけで、次の回（関連する番組）をトリガー（契機）として、次の回が始まるまでに、ユーザに「見逃した番組」の存在をより気付かせることが可能になる。このように、連続性のある番組の見逃しに対しても配慮しており、ユーザに対して非常に親切な装置である。
【０１１２】
尚、上記実施の形態１、２では、ＥＰＧ内の番組と関連する「配信可能番組」が存在する旨（「見逃し有」マーク）を表示したＥＰＧを、受信可能エリアに全戸共通で発信し、各ユーザの番組受信装置毎に、不要な「見逃し有」マークを消去することで、各番組受信装置用に「見逃し有」マークの付与されたＥＰＧが作成されていたが、放送局又は番組表配信装置側で戸別にＥＰＧが作成され、戸別に配信されても良い。具体的には、番組受信装置４、６２から、視聴履歴及び嗜好情報が、放送局１又は番組表配信装置６１へと送信され、戸別で、余分な「見逃し有」マークを消去するようにすれば良い。又、電波の届く範囲の全てのユーザの「見忘れ番組」に関する情報を集約して、全てのユーザに対して同じＥＰＧを配信するように構成しても構わない。
【０１１３】
（実施の形態３）
次に、本発明の番組表送受信システムの一例である実施の形態３における番組送受信システムについて、図面を参照しながら説明する。
【０１１４】
上記実施の形態１では、ＥＰＧ内の番組と関連する「配信可能番組」が存在する旨（「見逃し有」マーク）を表示したＥＰＧを、受信可能エリアに全戸共通で発信し、各ユーザの番組受信装置毎に、不要な「見逃し有」マークを消去することで、各番組受信装置用に「見逃し有」マークの付与されたＥＰＧが作成されていたが、本実施の形態３では、番組受信装置側がユーザの見忘れた番組を決定し、放送局側によって、その「見忘れ番組」が配信可能であって、更に関連する「関連番組」がＥＰＧに存在する場合に、「見忘れ有」マークが付与される。そのため、ＥＰＧは、戸別に作成され、送信されることになる。このように、実施の形態１、２と本実施の形態３では、ＥＰＧにマークを付与する処理が異なっているため、実施の形態１、２では、「見逃し有」マークとし、実施の形態３では「見忘れ有」マークとして区別する。
【０１１５】
図９は、本発明の実施の形態３における番組送受信システムの構成を表す図である。
【０１１６】
図９に示すように、本実施の形態３における番組送受信システムには、番組を放送する放送局１００と、放送される番組を受信するためにユーザが所有している番組受信装置２００が設けられている。
【０１１７】
この本実施の形態３における放送局１００は、通常放送番組システム部１１０と見忘れ番組システム部１２０を有している。尚、通常放送とは地上波デジタル放送やＢＳデジタル放送等をさすが、ＥＰＧが生成可能な放送であれば特に限定されるものではない。
【０１１８】
本実施の形態３における番組送受信システムの概要を説明すると、番組受信装置２００において、ユーザが見忘れた「見忘れ番組」が決定され、この「見忘れ番組」に関する情報が公衆回線網３００を介して放送局１００へと送信される。放送局１００は、この「見忘れ番組」が見忘れ番組システム部１２０に存在し、配信可能である場合は、「見忘れ番組」に関連する「関連番組」を特定し、この「関連番組」がＥＰＧ内に存在すると、ＥＰＧに「見忘れ有」マークを付与する。
【０１１９】
続いて、本発明の番組表配信装置及び番組配信装置の一例に相当する放送局１００の構成について説明する。
【０１２０】
通常放送番組システム部１１０には、番組を放送する放送番組配信部１１１と、ＥＰＧを生成する番組表情報管理部１１２と、ＥＰＧを放送番組に多重する番組表多重部１１４が設けられている。更に、通常放送番組システム部１１０には、「見忘れ番組」の「関連番組」を特定する関連番組特定部１１６と、特定された「関連番組」が、ＥＰＧに存在するか否かを判定する関連番組判定部１１５と、関連番組がＥＰＧに存在する場合に、「関連番組」の番組欄に見忘れ有マークを付与する見忘れ情報付与部１１３が設けられている。
【０１２１】
又、見忘れ番組システム部１２０には、既に放送された番組を蓄積する格納部１２３と、格納部１２３内の番組を検索する検索部１２４と、検索を行った「見忘れ番組」の情報を管理する見忘れ番組情報管理部１２６と、番組受信装置２００からの要求によって、「見忘れ番組」を番組受信装置２００へと配信する見忘れ番組配信部１２５と、番組受信装置２００から受信する「見忘れ番組」に関する情報を抽出する見忘れ番組情報抽出部１２２が設けられている。尚、「見忘れ番組」に関する情報とは番組名、放送日時、連続番組、ジャンル、出演者等である。又、「見忘れ番組」に関する情報には、「見忘れ番組」が格納部１２３に存在するか否かの情報が含まれている。又、「見忘れ番組」が存在する場合には、その再生時間等の情報も、「見忘れ番組」に関する情報に含まれている。
【０１２２】
次に、本発明の番組表受信端末の一例に相当する番組受信装置２００の構成について説明する。
【０１２３】
本実施の形態３における番組受信装置２００には、放送局１００の放送番組配信部１１１からの放送を受信する受信部１３０と、受信部１３０によって受信した情報からＥＰＧについての情報を抽出する番組表情報抽出部１３１と、番組表情報抽出部１３１で抽出したＥＰＧ情報を管理する番組表情報管理部１３２が設けられている。
【０１２４】
又、ユーザがチャンネル選択して受信した番組に基づいて、視聴履歴を作成し、視聴の傾向や履歴を管理する履歴管理部１４２が設けられている。
【０１２５】
この履歴管理部１４２には、過去の所定の期間におけるＥＰＧ情報と、受信した番組に基づいて視聴履歴を作成する履歴作成部１５１と、作成した視聴履歴を保存する履歴保存部１５２と、視聴履歴に基づいて、視聴者の「見たい番組」を特定する見たい番組特定部１４９が設けられている。更に、履歴管理部１４２には、見たい番組特定部１４９によって特定された「見たい番組」が、過去の所定の期間（例えば、３週間）における全ての番組の中に有るか否かを検索する、見たい番組検索部１５０が設けられている。そして、「見たい番組」が存在する場合に、検索によって見つかった「見たい番組」の中に未視聴の番組があるか否かを検索し、「未視聴番組」が有る場合には、その「未視聴番組」を「見忘れ番組」として決定する見忘れ番組決定部１４８が設けられている。
【０１２６】
又、番組受信装置２００には、インターネット等の公衆回線網３００を経由して放送局１００の見忘れ番組システム部１２０と接続される通信部１４０が設けられている。
【０１２７】
又、視聴履歴からユーザの嗜好履歴を抽出する嗜好履歴抽出部１４３と、抽出された嗜好情報を保存する嗜好情報保存部１５３も設けられている。
【０１２８】
又、視聴履歴、嗜好情報等に基づいて、抽出されたＥＰＧに付与されている見忘れマークを変更又は消去する等、見忘れ情報の制御を行う見忘れ情報制御部１４５が設けられている。
【０１２９】
又、番組受信装置２００には、ユーザからの操作入力を受け付ける操作入力受信部１４６と、操作入力によって「見忘れ有」マークが選択されることによって、見忘れ番組システム部１２０から「見忘れ番組」を受信する見忘れ番組受信部１４１が設けられている。尚、ユーザからの操作入力としては、リモコン、タッチパネル等を利用して画面上から直接メニューを選択して行う、又は、テレビ本体のスイッチ等の操作により行う等といった種々の方法を用いることが出来る。
【０１３０】
尚、受信部１３０で受信した放送やそれに関する情報、見忘れ番組受信部１４１で受信した「見忘れ番組」やそれに関する情報、ＥＰＧ情報等は、表示画面１４７により表示される。この表示画面の一例としては、液晶ディスプレイ等が相当する。又、番組受信装置２００の一例としては、ＴＶ等が相当する。又、この表示画面１４７へのＥＰＧの表示を制御する番組表表示制御部１４４が設けられている。
【０１３１】
尚、放送局１００の見忘れ番組配信部１２５及び見忘れ番組情報抽出部１２２と、番組受信装置２００の通信部１４０は、公衆回線網３００を介して接続されている。
【０１３２】
尚、本発明の番組表情報配信部の一例は、本実施の形態の放送番組配信部１１１に相当する。又、本発明の表示情報付与部の一例は、本実施の形態の見忘れ情報付与部１１３に相当する。又、本発明の番組表情報受信部の一例は、本実施の形態の受信部１３０に相当する。又、本発明の表示情報制御部の一例は、本実施の形態の見忘れ情報制御部１４５に相当する。
【０１３３】
次に、本実施の形態３における番組送受信システムの動作について、図面を参照しながら説明するとともに、本発明の番組表送信方法及び番組表受信方法の一例についても同時に述べる。
【０１３４】
はじめに、本実施の形態の番組送受信システムの動作の概要について説明した後、後述する図１０（ａ）〜（ｃ）及び図１１のような処理の流れを示す図を用いて、より具体的に説明する。
【０１３５】
図９において、ユーザが放送番組を受信部１３０で受信すると、履歴管理部１４２では、受信した番組名や時刻等とともに、過去のＥＰＧ情報から視聴履歴が作成され、記録される。
【０１３６】
履歴管理部１４２では、視聴履歴から見忘れた可能性のある番組である「見忘れ番組」を後述するようにして特定して、「見忘れ番組」に関する情報が放送局１００へ送信される。
【０１３７】
そして、「見忘れ番組」の有無が検索され、「見忘れ番組」が放送局１００の見忘れ番組システム部１２０に存在すれば、見忘れ情報付与部１１３において、番組表の中の、その「見忘れ番組」に関連する番組である「関連番組」に「見忘れ有」マークが付与される。尚、「関連番組」は、関連番組特定部１１６によって特定され、番組表情報管理部１１２で管理されている。
【０１３８】
例えば、ドラマ等のシリーズ番組が放送されている場合、ユーザが、その第１話を視聴したにも関わらず、第２話を視聴していなかった場合には、その第２話が「見忘れ番組」と特定される。そして、そのドラマの次回以降の番組が、「見忘れ番組（第２話）」の「関連番組」と特定される。つまり、第２話が「見忘れ番組」であり、見忘れ番組システム部１２０に第２話が存在していれば、ＥＰＧにおいて、そのドラマの「関連番組」である第３話以降の番組の枠に「見忘れ有」マークが表示されることになる。尚、次回以降の全ての番組枠に「見忘れ有」マークを付与しても良いが、次回の番組のみに「見忘れ有」マークを付与してもよく、適宜変更しても良い。
【０１３９】
そして、ユーザがＥＰＧに表示された「見忘れ有」マークを、リモコン等の操作で選択することにより、操作入力受信部１４６はリモコンからの選択指示を受け、見忘れ番組システム部１２０との通信を接続する。そして、見忘れ番組システム部１２０から、「見忘れ番組」と同じ内容の番組が送信され、その番組は、見忘れ番組受信部１４１によって受信され、表示画面１４７に表示される。
【０１４０】
次に、本発明の実施の形態３における番組受信装置２００の処理について、図面を参照しながら、より具体的に説明する。
【０１４１】
はじめに、図１０（ａ）、（ｂ）、（ｃ）は、本発明の実施の形態３における番組受信装置２００が日頃行っておく動作の処理の流れを示す図である。尚、図面では、ステップのことをＳと省略して記載する。
【０１４２】
番組受信装置２００が日頃行っておく処理（履歴作成、「見たい番組」の特定、及び「嗜好情報」の特定）について説明する。
【０１４３】
図１０（ａ）に示すように、ユーザが放送番組を受信部１３０で受信することによって、放送番組受信処理（ステップＳ１０１）が開始される。処理が開始されると、受信した番組名や時刻等を履歴作成部１５１が抽出する（ステップＳ１０２）。一方、履歴作成部１５１には、ＥＰＧ情報も送信され（ステップＳ１０３）、履歴作成部１５１は、このＥＰＧ情報と抽出した番組名や時刻等から、過去の所定期間において視聴した番組名及び時刻等の視聴履歴を作成する（ステップＳ１０４）。そして、この視聴履歴及びＥＰＧ情報等は、履歴保存部１５２に保存され（ステップＳ１０５）、放送番組受信処理が完了する（ステップＳ１０６）。
【０１４４】
又、図１０（ｂ）のステップＳ１０７に示すように、履歴管理処理が開始され、はじめに、履歴管理部１４２では、履歴保存部１５２に保存されている視聴履歴に基づいて、視聴履歴がチェック（ステップＳ１０８）される。そして、予め決められた規則に基づき、見たい番組特定部１４９が、ユーザの「見たい番組」を特定する（ステップＳ１０９）。例えば、図１２（ａ）に示すＥＰＧにおける、２ｃｈで２０時から放送される連続ドラマＡ１等のシリーズ番組等において、第１話を視聴した場合に、「見たい番組」は連続ドラマＡ１の第２話以降の第３話、第４話、・・・と特定される。この場合は、予め決められた規則とは、「連続ドラマの場合どれか１話でも視聴されると、その連続ドラマのシリーズ全番組が『見たい番組』として特定される」という規則である。ここで、「見たい番組」は、複数種類選択されても良く、例えば、プロ野球の巨人阪神戦や、２チャンネルの２１時のニュースＡ２番組を「見たい番組」とすることができる。尚、この場合の予め決められた規則とは、「過去の視聴の履歴の中で、統計的にみて、特定の番組の視聴の回数が他の同種の番組に比べて格段に多い場合（例えば３倍以上）、その特定の番組の全てが『見たい番組』として特定される」という規則である。
【０１４５】
次に、履歴管理部１４２では、履歴保存部１５２において管理している視聴履歴情報から「見忘れ番組」が特定される（ステップＳ１１０、ステップＳ１１１、ステップＳ１１２）。
【０１４６】
詳しく説明すると、見たい番組特定部１４９によって特定された「見たい番組」が、過去の所定の期間（３週間）における全ての番組の中にあるか否かについての検索が、見たい番組検索部１５０によって行われる（ステップＳ１１０）。ここで、複数種類の「見たい番組」がある場合には、先ず、１つの種類の番組が選択され、その選択された番組が、過去の所定の期間における全ての番組の中にあるか否かが検索される。ここでは、連続ドラマＡ１が選択されているものとする。
【０１４７】
「見たい番組」が存在する場合には、見忘れ番組決定部１４８によって、検索によって見つかった過去の「見たい番組」の中に未視聴の番組があるか否かの検索が行われる（ステップＳ１１１）。この「未視聴番組」があるか否かの検索は、履歴保存部１５２の視聴履歴と、検索によって見つかった「見たい番組」を用いて行われる。そして、検索によって未視聴の番組が存在する場合には、その「未視聴番組」が「見忘れ番組」として決定される（ステップＳ１１２）。例えば、連続ドラマＡ１のうち第２話が視聴されていなかった場合には、「見たい番組」の中に、「未視聴番組」が存在するため、連続ドラマＡ１の第２話が「見忘れ番組」と決定される。
【０１４８】
一方、ステップＳ１０９において、「見たい番組」が、過去の所定の期間（３週間）における全ての番組の中に見つからなかった場合には、制御は、ステップＳ１１３へと進み、他の種類の「見たい番組」が有るか否かの判定が行われる。例えば、他の種類の「見たい番組」として、プロ野球の巨人阪神戦が有る場合には、制御はステップＳ１１０へと戻り、プロ野球の巨人阪神戦についての「見たい番組」が、過去の所定の期間（３週間）における全ての番組の中に存在するか否かのチェックが行われる。
【０１４９】
又、ステップＳ１１１において、検索によって見つかった「見たい番組」の中に、「未視聴番組」が見つからなかった場合にも、制御は、ステップＳ１１３へと進み、他の種類の「見たい番組」が有るか否かの判定が行われる。そして、すべての「見たい番組」についてチェックを行った後、ステップＳ１１４において、履歴管理処理は完了する。
【０１５０】
又、図１０（ｃ）に示すように、ユーザの嗜好情報を抽出する嗜好抽出処理も行われる。ステップＳ１１５において、嗜好抽出処理が開始されると、ステップＳ１１６において、嗜好情報抽出部１４３が、履歴保存部１５２に保存されている視聴履歴に基づいて、予め決められた規則に基づき、ユーザの「嗜好情報」を抽出する。例えば、連続ドラマやニュースよりもプロ野球の分野の視聴の回数が多い場合には、プロ野球がユーザの嗜好であるという嗜好情報が抽出される。この場合、予め決められた規則とは、「過去の視聴の履歴の中で、統計的にみて、特定の分野の番組の視聴の回数が他の分野の番組に比べて格段に多い場合（例えば３倍以上）、その特定の分野がユーザの嗜好であるとして『嗜好情報』が特定される」という規則である。
【０１５１】
そして、抽出された「嗜好情報」は、ステップＳ１１８において嗜好情報保存部１５３に保存され、嗜好情報抽出処理が完了する（ステップＳ１１９）。
【０１５２】
このように、放送番組受信処理、履歴管理処理、及び嗜好抽出処理が日常行われている。
【０１５３】
次に、番組受信装置２００にＥＰＧを送信する場合の放送局１００の動作について説明する。この説明とともに、本発明の番組表配信方法の一例についても同時に述べる。
【０１５４】
図１１は、本発明の実施の形態３における放送局１００が、ＥＰＧをユーザに送信する際に実行する「見忘れ番組」情報処理の流れを示す図である。又、図１２（ａ）は、ＥＰＧの一例であるＥＰＧ４００を示す図である。尚、ＥＰＧにおいて、行又は列を欄と呼び、１つのマス目を枠と呼ぶ。
【０１５５】
番組受信装置２００において、特定された「見忘れ番組」についての情報を、公衆回線網３００を介して放送局１００の見忘れ番組情報抽出部１２２が受信し（ステップＳ２０１）「見忘れ番組」に関する情報が抽出される。次に、ステップＳ２０２において、この「見忘れ番組」が格納部１２３内に存在するか否かの検索が、検索部１２４によって行われる。
【０１５６】
すなわち、連続ドラマＡ１の第２話の「見忘れ番組」が格納部１２３に格納されているかどうか検索が、検索部１２４によって行われる。
【０１５７】
もし、ステップＳ２０２における検索によって、格納部１２３に「見忘れ番組」が存在しなければ、ステップＳ２０３において処理はＮＯに進み、ステップＳ２１１において、見忘れ番組情報管理部１２６が、検索部１２４によって、連続ドラマＡ１についての「見忘れ番組」の有無をチェックしたことを記録する。
【０１５８】
そして、処理はステップＳ２０９へと進み、他の種類の「見たい番組」があるか否かについて、見忘れ番組情報管理部１２６において、判定が行われる。尚、一度、格納部１２３の中の存在をチェックした番組に関しても、後日見忘れ番組が放送局１００の見忘れ番組システム部１２０の格納部１２３に登録されることもあるので、定期的にチェックしても良い。
【０１５９】
一方、ステップＳ２０３において、「見忘れ番組」が格納部１２３の中に存在する場合、ステップＳ２０４において、予め定められた所定の規則に従って、「関連番組」が関連番組特定部１１６によって特定される。具体的には、２チャンネルの連続ドラマＡ１の第２話が「見忘れ番組」と特定されているが、その第２話の次回以降（或いは特定された連続ドラマ全て）の番組が、この「見忘れ番組」の「関連番組」と特定される。尚、この場合の所定の規則は、「『見忘れ番組』が属する『見たい番組』群に属する全ての番組は、その『見忘れ番組』の『関連番組』として特定する」という規則である。例えば、上述のように「見たい番組」として所定の連続ドラマが特定されている場合、見忘れたＸ話目の以降の各話番組（あるいはその所定の連続ドラマ全て）を、見忘れたＸ話番組に関連する「関連番組」として特定するということになる。あるいは「見たい番組」として巨人阪神戦が特定されている場合、（今日よりも以前に放送された）見忘れた５月１日の巨人阪神戦番組について、その他の巨人阪神戦の番組群が「関連番組」となる。
【０１６０】
上記ステップＳ２０４において、「関連番組」が特定されると、番組表情報管理部１１２で管理されている、今後の２週間分のＥＰＧの番組の中に、その「見忘れ番組」の「関連番組」があるか否かのチェックが、関連番組判定部１１５において行われる（ステップＳ２０５）。次に、ステップＳ２０６において、「関連番組」がＥＰＧに存在する場合は、その旨が見忘れ情報付与部１１３へと送信される。このステップＳ２０５、ステップＳ２０６が、本発明の関連番組判定ステップの一例に相当する。
【０１６１】
一方、もし、「関連番組」（ここでは連続ドラマＡ１の第３話目等）がなければ（ステップＳ２０６）、見忘れ番組情報管理部１２６が、「関連番組」の有無をチェックした「見忘れ番組」の種類を記録する（ステップＳ２１１）。そして、制御は、ステップＳ２０９へと進み、他の種類の「見忘れ番組」があるか否かが、見忘れ番組情報管理部１２６において判定される。尚、一度チェックした「関連番組」に関しても、後に配信されるＥＰＧに存在する場合があるため、定期的にチェックする方がより好ましい。
【０１６２】
ステップＳ２０６において、もし、「関連番組」（ここでは連続ドラマＡ１の第３話）が、番組表内に存在する場合には、見忘れ情報付与部１１３は、ＥＰＧの連続ドラマＡ１の第３話の枠に「見忘れ有」マークを付与し（Ｓ２０７）、ＥＰＧ情報を更新する（ステップＳ２０８）。このＳ２０７が、本発明の表示情報付与ステップの一例に相当する。
【０１６３】
次に、ステップＳ２０９において、他の種類の「見忘れ番組」が存在するか否かが、見忘れ番組情報管理部１２６によって、判定される。もし、他の種類の「見忘れ番組」が存在する場合には、処理は、ステップＳ２０２へと戻り、その他の種類の「見忘れ番組」が過去の所定期間内の番組の中に存在するか否かの判定が行われる。すなわち、連続ドラマＡ１に関する処理の完了後に、プロ野球の巨人阪神戦、続いて２ｃｈの２１時から始まるニュースＡ２に関して、ステップＳ２０２〜ステップＳ２０８までの処理が行われる。
【０１６４】
全ての種類の「見たい番組」に関する処理が完了すると、「見忘れ有」マークが付与されたＥＰＧが、番組表多重部１１４によって、放送番組に多重されて、放送番組配信部１１１から番組受信装置２００へと送信され、ステップＳ２１０において、「見忘れ番組」情報処理が完了する。尚、このＥＰＧを送信する処理が、本発明の番組表情報配信ステップの一例に相当する。
【０１６５】
尚、図１２（ｂ）には、「見忘れ有」のマークが示されたＥＰＧの一例４１０が示されている。図１２（ｂ）には、連続ドラマＡ１の第３話にのみ「見忘れ有」マーク４１１が表示されている例を示しているが、もちろんニュースＡ２についても「見たい番組」として判定され、「未視聴番組」が存在するのであれば、「見忘れ有」マークが表示される。
【０１６６】
又、見忘れ番組情報は、見忘れ情報付与部１１３が要求しても、見忘れ番組情報抽出部１２２が配信してもよく、又見忘れ情報付与部１１３の要求タイミングや見忘れ番組情報抽出部１２２の配信タイミングも特に限定されない。
【０１６７】
又、「見忘れ番組」の情報がない場合、あるいは「見忘れ番組」に関連する番組が送信する番組表（ＥＰＧ）に存在しない場合、ＥＰＧは番組表情報管理部１１２で生成された番組表情報が番組表多重部１１４で放送番組に多重されることによって放送番組配信部１１１から配信される。
【０１６８】
戸別に作成されたＥＰＧの送信方法としては、例えば、次のようなことが考えられる。戸別に作成したＥＰＧは、戸別に異なる鍵により暗号化をして放送に重畳して送る。そして、戸別に異なる鍵で復号化することで、戸別に届けることができる。又、放送がネットワークを用いたＩＰ放送の例では、ネットワークを通じて各戸から放送局１００に接したＥＰＧを格納したサーバ（表示せず）に対してアクセスして取得するようなことも可能である。もちろん、放送波を受信する場合あっても、ネットワークを通じてＥＰＧを格納したサーバにアクセスして、戸別のＥＰＧを取得するようにしても構わない。
【０１６９】
又、現在地上波デジタル放送では、番組表は局ごとに生成、送信されるため、他の放送局１００ａ〜１００ｃでも放送局１００と同じ処理を行うと、全局のＥＰＧに関して「見忘れ有」マークを付与することが可能となる。
【０１７０】
尚、本実施の形態３では、戸別に「見忘れ有」マークを付与したＥＰＧ情報を作成して送信することになるが、受信可能エリアの全戸に共通なＥＰＧ情報と、各戸毎の「見忘れ有」マークを付与する旨の情報を別々に送信し、各戸で情報を合体させて、ＥＰＧを表示するようにしても良い。各戸毎に異なったＥＰＧを送信せず、受信可能エリアの全てのユーザの「見忘れ番組」に関する情報を集約して、全てのユーザに対して同じＥＰＧを配信するように構成しても構わない。
【０１７１】
次に、本発明の実施の形態３における番組受信装置２００がＥＰＧ情報を受信した後の処理について、より具体的に説明する。
【０１７２】
図１３は、ＥＰＧを受信した後の主に見忘れマーク表示制御に関する番組受信装置２００のＥＰＧ表示準備処理の流れを示す図である。
【０１７３】
図１３において、番組受信装置２００の受信部１３０が放送番組を受信すると（ステップＳ４０１）、番組表情報抽出部１３１は受信部１３０からＥＰＧを抽出し（ステップＳ４０２）、抽出されたＥＰＧは、番組表情報管理部１３２を介して見忘れ情報制御部１４５に送信される。このステップＳ４０１が、本発明の番組表情報受信ステップの一例に相当する。
【０１７４】
そして、見忘れ情報制御部１４５は受信したＥＰＧの「見忘れ有」マークをチェックし（ステップＳ４０３）、「見忘れ有」マークが付与されている「関連番組」の情報を受信する（ステップＳ４０４）。尚、関連番組情報の受信に関してはＥＰＧの番組情報から見忘れ情報制御部１４５が判定しても良いし、通信部１４０を経由して見忘れ番組システム部１２０から受信してもよく、特に限定されるものではない。
【０１７５】
具体的には、上述したように、連続ドラマＡ１の第２話が「見忘れ番組」と特定され、連続ドラマＡ１の第３話以降が、「関連番組」と決定されているため、例えば、連続ドラマＡ１が各週で放送され、ＥＰＧに２週間の情報が記載されている場合には、連続ドラマＡ１の第３話と第４話が、ＥＰＧに記載されており、第３話と第４話に「見忘れ有」マーク５０１が付与されていることになる。図１４（ａ）には、このようなＥＰＧ５００が示されている。尚、連続ドラマＡ１（第４話）を含む２０時代の番組については、画面をスクロールして確認することになる。
【０１７６】
次に、関連番組情報受信後、見忘れ情報制御部１４５は履歴管理部１４２から受信した視聴履歴をチェックし（ステップＳ４０５）、関連番組を視聴済みであれば（ステップＳ４０６）、見忘れ番組を視聴する可能性は低いので該当する「見忘れ有」マークの表示を消去する（ステップＳ４０７）。
【０１７７】
すなわち、ユーザが「見忘れ番組」である第２話を視聴せずに、「関連番組」である第３話を視聴した場合、ユーザが第２話を視聴する可能性が低いとして、第４話の番組欄に付与されている「見忘れ有」マークが消去される。
【０１７８】
もし視聴していなければ、見忘れ情報制御部１４５は、嗜好情報抽出部１４３から嗜好情報を受信し、該当する「見忘れ番組」と嗜好が不一致であるかチェックする（ステップＳ４０８）。もし不一致であれば、見忘れ番組を視聴する可能性は低いので該当する見忘れマークの表示を消去する（ステップＳ４０７）。
【０１７９】
すなわち、ユーザが、「見忘れ番組」である第２話を視聴せず、「関連番組」である第３話も視聴していない場合であって、例えば、ユーザの嗜好が「野球」とされていると、ユーザの嗜好とは不一致であるため、連続ドラマＡ１を今後視聴する可能性が低いとして、第４話の枠に付与されている「見忘れ有」マークが消去されることになる。
【０１８０】
もし、一致すれば、即ち、「見忘れ番組」が通常放送で放送された段階でも未視聴で且つ嗜好にもあっているので「見忘れ番組」を見る可能性が高いと判定して「見忘れ有」マークはそのまま表示される。
【０１８１】
尚、嗜好情報抽出部１４３では、「見忘れ番組」の視聴履歴も考慮して嗜好情報が抽出されているため、例えば、「見忘れ番組」が連続ドラマＡ１の第２話、第３話であり、「関連番組」が第４話であり、第２話のみ視聴した場合、ユーザの嗜好が「野球」から「ドラマ、野球」と変更されると、「関連番組」とユーザの嗜好が一致しているとして、第４話の番組欄に「見忘れ有」マークがそのまま表示される。
【０１８２】
そして、全「見忘れ有」マークに関して同様のチェックを行ったかを確認し（ステップＳ４０９）、行っていればＥＰＧの表示準備が完了する（ステップＳ４１０）。
【０１８３】
尚、ユーザがリモコン等によりＥＰＧを表示させることを選択すると、リモコンからの指示を操作入力受信部１４６が受信し、番組表表示制御部１４４によって表示画面１４７にＥＰＧが表示される。
【０１８４】
図１４（ａ）（ｂ）は、ＥＰＧの一例を示す図である。図１４（ａ）に示すＥＰＧ５００は放送局１００から送信された状態の一例を示す図である。この状態では、「見忘れ有」マーク５０１が付与されている。又、図１４（ｂ）に示すＥＰＧ５１０は見忘れ情報制御部１４５で、連続ドラマＡ１の第４話から「見忘れ有」マークが消去された状態を示す図である。図１４（ａ）には、連続ドラマＡ１の第３話、第４話にのみ「見忘れ有」マークが表示されている例を示しているが、もちろんニュースＡ２についても「見たい番組」として判定され、「未視聴番組」が存在するのであれば、「見忘れ有」マークが表示される。
【０１８５】
図１４（ａ）に示されているＥＰＧの表示において、ユーザが、連続ドラマＡ１第３話の枠で、リモコンの決定ボタンを押すと、通常は連続ドラマＡ１の第３話の情報が表示されるが、例えばデータ放送受信用ボタン等、特定のボタンを押すと、「見忘れ有」マーク５０１の方が選択される。
【０１８６】
すると、操作入力受信部１４６はリモコンからの選択指示を受け、番組受信装置２００は、通信部１４０を経由して見忘れ番組システム部１２０の格納部１２３にアクセスする。そして、見忘れ番組受信部１４１で「見忘れ番組」を受信することで、表示画面１４７に「見忘れ番組」が表示され、「見忘れ番組」の視聴が開始される。
【０１８７】
そして、「見忘れ番組」を受信した後、見忘れ情報制御部１４５によって、「見忘れ有」マーク５１１がＥＰＧから消去される。
【０１８８】
すなわち、本実施の形態では、ユーザが視聴あるいは録画をし忘れた、又はその可能性のある番組である「見忘れ番組」がある場合には、そのことを示すアイコン等をＥＰＧ等に表示することで、ユーザが「見忘れ番組」の有無を確認できる。又、そのアイコンをユーザが選択することにより、番組視聴端末は放送局に蓄積された番組配信システムから取得した「見忘れ番組」を再生できる。
【０１８９】
以上のように、本実施の形態３における番組送受信システムは、連続ドラマ等で、見忘れた回を、次の回が開始されるまでに見ておきたい場合等に、例え、自分が「見忘れ番組」の存在を忘れていてもテレビ視聴や録画の際によく利用されるＥＰＧを見るだけで、次の回（関連する番組）をトリガー（契機）として、次の回が始まるまでに、ユーザに「見忘れ番組」の存在をより気付かせることが可能となる。このように、連続性のある番組の見忘れに対しても配慮しており、ユーザに対して非常に親切な装置である。
【０１９０】
尚、上記実施の形態１〜３では、ＥＰＧを表示させる表示画面と、放送する番組の表示画面とが同じものであったが、別々に設けられていても良い。
【０１９１】
又、上述のように、「見たい番組」の特定は、日頃端末が特定しているが、必ずしもこれに限らず、日頃は行わず、放送局１００がＥＰＧを送信する旨の信号を番組受信装置２００に送信した後で、「見たい番組」が特定され、放送局１００に送信されても良い。
【０１９２】
尚、本実施の形態３では、「見忘れ有」マークを「関連番組」の枠に表示することのみが示されていたが、これに限るものではない。例えば、「見忘れ有」のマーク位置は、ＥＰＧにおいて、「見忘れ番組」の「関連番組」が放送される当日は、「関連番組」以前の番組の枠に表示し、「関連番組」が放送される前日までは、「見忘れ番組」の存在がわかりやすいように、「見忘れ番組」の「関連番組」の枠に表示することで、ユーザに日付に応じて適切に「見忘れ番組」の存在を通知することが可能となる。
【０１９３】
具体的には、図１５（ａ）に示すように「見忘れ番組」の「関連番組」が５月１１日に放送される場合、見忘れ情報付与部１１３は、「見忘れ有」のマークを、前日（ここでは５月１０日）までは、ＥＰＧ８００のように、「見忘れ番組」の「関連番組」である連続ドラマＡ１の第３話の枠内に「見忘れ有」マーク８０１を付与する。そして、図１５（ｂ）に示すように放送当日である５月１１日は、ＥＰＧ８１０のように、「関連番組」以前の番組、ここではニュースＡ１の欄に「見忘れ有」マーク８１１を付与する。尚、「見忘れ有」マークの位置の移動は、見忘れ情報付与部１１３でなく、番組受信装置２００の見忘れ情報制御部１４５が行っても良い。
【０１９４】
又、日単位ではなく時間単位で「見忘れ有」マークの移動が行われても良い。具体的には、「関連番組」である連続ドラマＡ１の第３話の放送開始時刻の、例えば４時間前までは、「見忘れ有」マークが「関連番組」の枠内に表示される。そして、「関連番組」の放送開始時刻までの時間が４時間より少なくなると、「関連番組」以前の番組であるニュースＡ１の枠内に「見忘れ有」マークが表示される。尚、時間単位の場合、ＥＰＧの送信タイミングによっては、「見忘れ有」マークの移動を、「関連番組」の放送開始時刻の４時間前に行うことが出来ない場合があるため、番組受信装置２００側の見忘れ情報制御部１４５によって行う方が好ましい。
【０１９５】
尚、これらの「見忘れ有」マークの表示場所の変形例は、実施の形態１、２で説明した「見逃し有」マークに対しても適用可能である。上述したようにＥＰＧに表示する処理が異なるため、実施の形態１、２では「見逃し有」マークを付与するとし、実施の形態３では「見忘れ有」マークを付与するとして、「見逃し有」マークと「見忘れ有」マークを区別していたが、この名称は両者を区別するための便宜上のものであり、双方同じ名称を用いても良いことはいうまでもない。
【０１９６】
又、上記実施の形態では、番組受信装置４、６２、２００の一例としてＴＶを挙げたが、ＴＶでなくてもよく、録画装置や、放送受信機能搭載のＰＣでもよく、ＥＰＧが受信できて、通信機能が搭載されていれば特に限定されるものではない。
【０１９７】
又、見忘れ情報付与部１１３が付与する「見忘れ有」マークの表示内容は特に限定されるものではなく、例えば、「見忘れ有：連続ドラマＡ１第２話」というように、見忘れた番組について具体的に記載するようにしても良い。「見逃し有」マークについても同様である。
【０１９８】
又、「見逃し有」マークや「見忘れ有」マークの選択方法としてデータ放送受信用ボタンを押すことを一例として説明したが、通常の番組表の選択と区別できれば特に限定されるものではない。
【０１９９】
尚、本実施の形態３では、番組受信装置２００側で、「見たい番組」中の「未視聴番組」が「見忘れ番組」と決定され、決定された「見忘れ番組」が放送局１００に送信されていたが、「見忘れ番組」が放送局１００側で決定されても良い。このように「見忘れ番組」を放送局側で決定する番組送受信システムの構成が、図１６に示されている。図１６に示す見忘れ番組システム部１２０には、見忘れ番組決定部１２７が設けられており、番組受信装置２００の履歴管理部１４２には見忘れ番組決定部１４８（図９参照）が設けられていない。このような構成の場合、放送局１００では、番組受信装置２００から送信されてきた「見たい番組」及び「未視聴番組」に基づいて、見忘れ番組決定部１４８が「見忘れ番組」を決定する。この決定された「見忘れ番組」に関する情報を見忘れ番組情報抽出部１２２が抽出し、見忘れ番組情報管理部１２６は、抽出された「見忘れ番組」に関する情報を、関連番組特定部１１６に送るとともに、検索部に「見忘れ番組」の検索指示を出す。そして、上述したように、関連番組特定部１１６によって、「関連番組」が特定される。
【０２００】
図１６の構成の番組送受信システムにおいて、番組受信装置２００から「見たい番組」及び「未視聴番組」に関する情報を送信するタイミングは、放送局１００からＥＰＧを送信する旨の信号を受け取った時でも良いし、定期的であっても良い。
【０２０１】
又、本実施の形態３では、番組受信装置２００から送信された「見忘れ番組」から、放送局１００側で「関連番組」が特定されていたが、「関連番組」が番組受信装置２００側で特定されていても良い。このように「関連番組」を番組受信装置２００側で特定する構成の番組送受信システムの構成が、図１７に示されている。図１７に示す番組受信装置２００には、見忘れ番組決定部１４８によって決定された「見忘れ番組」に基づいて「関連番組」を特定する関連番組特定部１５４が設けられている。又、通常放送番組システム部１１０には、関連番組特定部１１６が設けられていない。そして、「見忘れ番組」と「関連番組」に関する情報が、公衆回線網３００を介して放送局１００側に送信され、これらの情報が、見忘れ番組情報抽出部１２２によって抽出される。続いて、抽出された「関連番組」の情報が、関連番組判定部１１５へと送信され、上述したのと同様に、送信予定のＥＰＧに「関連番組」が存在するか否かの判定が行われる。
【０２０２】
図１７の構成の番組送受信システムにおいて、番組受信装置２００から「見忘れ番組」及び「関連番組」に関する情報を送信するタイミングは、放送局１００からＥＰＧを送信する旨の信号を受け取った時でも良いし、定期的であっても良い。
【０２０３】
又、履歴管理部１４２で、「見忘れ番組」の視聴履歴も合わせて管理されても良い。具体的には、見忘れ番組受信部１４１によって受信した「見忘れ番組」に関する情報が履歴作成部１５１へと送られることになる。すなわち、連続ドラマＡ１の第２話が「見忘れ番組」であり、第３話が「関連番組」である場合に、ＥＰＧの「見忘れ有」マークを選択して、第２話を視聴すると、第２話を視聴した旨の視聴履歴が履歴作成部１５１によって作成され、履歴保存部１５２に保存される。
【０２０４】
又、実施の形態１、２、３では、嗜好情報抽出部４３、１４３では、「見逃し番組」や「見忘れ番組」の視聴履歴からも嗜好情報を抽出しているが、「見逃し番組」や「見忘れ番組」の視聴履歴を考慮しなくても良い。
【０２０５】
又、本実施の形態３では、「関連番組」を視聴した場合、「見忘れ番組」が嗜好に一致しない場合に、「見忘れ有」マークが消去されるが、消去する代わりに、例えば、マークが目立たないように、赤から黒にマークの色を変更するように、「見忘れ有」マークを変更する処理を行っても良い。
【０２０６】
（実施の形態４）
次に、本発明の番組表送受信システムの一例である実施の形態４における番組送受信システムについて、図面を参照しながら説明する。本実施の形態４における番組送受信システムの基本的な構成は、実施の形態３と同様であるが、「見忘れ番組」の再生時間等を管理して、より適切なタイミングでの視聴を促す点が、実施の形態３と異なっている。そのため、本相違点を中心に説明する。尚、実施の形態３と同一又は対応する構成については、同一の符号が付されている。
【０２０７】
図１８は、本発明の実施の形態４における番組送受信システムの構成を表す図である。
【０２０８】
図１８に示す本実施の形態４における放送局１００は、見忘れ番組時間管理部１１７が実装された以外は、実施の形態３で説明した放送局と同じであるので、他の構成の説明を省略する。この見忘れ番組時間管理部１１７は、「見忘れ番組」の再生時間と関連する放送の開始時間を管理する。
【０２０９】
図１９（ａ）、（ｂ）は「見忘れ有」マークが付与されたＥＰＧの例を示す図である。
【０２１０】
見忘れ番組時間管理部１１７は、見忘れ番組情報管理部１２６が、見忘れ番組情報抽出部１２２が抽出した「見忘れ番組」の情報を取得する際に、あわせて「見忘れ番組」の再生時間を取得する。そして、見忘れ情報付与部１１３は、「関連番組」の開始時刻以前であり、かつ、「見忘れ番組」の再生時間以上前に始まる時間の番組に、「見忘れ有」マークを付与する。尚、図１８では、見忘れ番組時間管理部１１７は、「見忘れ番組」の再生時間を、見忘れ番組情報管理部１２６を介して取得しているが、見忘れ番組情報抽出部１２２から直接取得しても良い。
【０２１１】
例えば、図１９（ａ）に示すように、ＥＰＧ６１０の２ｃｈで２０時から放送される連続ドラマＡ１（第３話）の前回分である第２話を、ユーザが見逃していて、この「見忘れ番組」が見忘れ番組システム部１２０内に存在する場合、見忘れ番組時間管理部１１７は、連続ドラマＡ１（第２話）の再生時間が１時間であるという情報を取得する。又、見忘れ番組時間管理部１１７は、「関連番組」である連続ドラマＡ１（第３話）の放送開始時刻である２０時という情報を番組表情報管理部１１２から取得する。
【０２１２】
これにより、見忘れ番組時間管理部１１７において、「関連番組」である連続ドラマＡ１（第３話）開始までに、「見忘れ番組」である第２話の視聴を完了させるには、第３話の放送開始時刻の１時間前である１９時に「見忘れ番組」の視聴を開始すれば良いことが判明する。そして、見忘れ番組時間管理部１１７は、見忘れ情報付与部１１３に視聴開始時刻に関する情報を送る。
【０２１３】
すると、図１９（ａ）のＥＰＧ６１０に示すように、見忘れ情報付与部１１３は、１９時から開始される番組であるニュースＡ１に「見忘れ有」マーク６１１を付与する。そして、番組受信装置２００に送信されたＥＰＧについて、ユーザが１９時に「見忘れ番組」を選択することで、ユーザは、「見忘れ番組」である連続ドラマＡ１の第２話を１９時から視聴し、続いて「関連番組」である第３話の放送を２０時から視聴出来、連続して視聴することが可能となる。
【０２１４】
一方、１９時を過ぎてもユーザが「見忘れ番組」を視聴しない場合には、図１９（ｂ）のＥＰＧ６００に示すように、見忘れ情報制御部１４５は、「見忘れ有」マーク６０１を連続ドラマＡ１（第３話）の枠内に表示させる。
【０２１５】
このように本実施の形態４では、ユーザは自分が忘れていてもテレビ視聴や録画の際によく利用されるＥＰＧを見るだけで、例えば１時間の連続ドラマの見忘れがある場合は、次の回の１時間以上前に放送されるＥＰＧの枠に「見忘れ有」マークを付与することが可能となり、関連する次の番組が開始されるまでに、見忘れ番組の視聴を完了させることが可能となる効果がある。
【０２１６】
又、本実施の形態４においても、実施の形態３で述べたのと同様に、ステップＳ４０５〜Ｓ４１０（図１３参照）が行われるため、「見忘れ有」マークが表示されない場合もある。
【０２１７】
尚、本実施の形態４では、見忘れ番組時間管理部１１７は、放送局１００側に設けられているが、番組受信装置２００側に設けられていても良い。その場合、番組受信装置２００から「見忘れ番組」に関する情報を、放送局１００に送信する際に、視聴開始時刻に関する情報も送信される。
【０２１８】
又、上記実施の形態４では、１９時を過ぎると、「見忘れ有」マークを「関連番組」の枠に移動させているが、移動させなくても良い。
【０２１９】
又、「見忘れ有」マークの付与は、連続視聴になる１９時開始番組でなく、この番組の放送以前であっても構わず、ここでは連続ドラマＡ１の第３話が開始するまでに「見忘れ番組」である連続ドラマＡ１の第２話の視聴が完了するように、１９時以前の番組に「見忘れ有」マークを付与しても良い。
【０２２０】
又、「見忘れ番組」と「関連番組」が連続視聴可能な複数の番組あるいはすべての番組のＥＰＧ枠に「見忘れ有」マークを付与すると、さらに有効である。図２０は、１９時に放送予定のすべての番組に「見忘れ有」マーク７０１を表示した場合の一例であるＥＰＧ７００を示す図である。図２０に示すＥＰＧ７００では、「見忘れ有」マーク７０１が、「関連番組」の放送１時間前である１９時に放送予定の複数の番組の枠にわたって設けられている。尚、実施の形態３においても、複数の番組の枠にわたって設けられた「見忘れ有」マークがＥＰＧに付されていても良い。
【０２２１】
又、ＥＰＧの番組枠でなく、時刻表示欄のいずれかの枠に「見忘れ有」マークを付与しても同様の効果が得られる。このようなＥＰＧの例が、図２１に示されている。図２１に示すＥＰＧ７１０では、１９時を示す時刻を表示している枠に「見忘れ有」マーク７１１が、表示されている。尚、このように時刻表示欄のいずれかの枠に「見忘れ有」マークを表示する方法は、実施の形態３の番組送受信システムに対して適用しても良い。例えば、図１５（ａ）に示す「見忘れ有」マーク８０１が２０時の枠に表示され、図１５（ｂ）に示す「見忘れ有」マーク８１１が１９時の枠に表示されていても良い。
【０２２２】
尚、「見忘れ有」マークを表示する時刻あるいは番組は、「関連番組」との連続視聴が可能な時刻や、「関連番組」の放送開始時刻、あるいは、放送が開始されるまでに視聴が完了する任意の時刻、あるいは履歴管理部１４２の情報から、ユーザがよく視聴や録画する時刻、すなわちＥＰＧを使用する可能性が高い時間帯や番組に付与しても良い。
【０２２３】
尚、「見忘れ番組」の存在が１つの場合を例に説明したが、「見忘れ番組」が２つ以上ある場合であっても、本実施の形態４を適用することができる。具体的には、例えば、連続ドラマＡ１の第２話目に続いて第３話目も見逃した場合、第４話目の放送が２０時から開始されるとすると、第２話の再生時間（１時間）＋第３話の再生時間（１時間）の計２時間を再生時間とし、放送開始時刻の２時間前の１８時に、「見忘れ有」マークを付与することで、複数の見忘れ番組が存在する場合でも同様の効果が得られる。
【０２２４】
又、上述した実施の形態１、２の番組送受信システムにおいても、本実施の形態４におけるように見忘れ番組時間管理部１１７を設けることによって、関連する次の番組が開始されるまでに、見逃し番組の視聴を完了させることが可能となる効果を発揮することが出来、更に、図２０、２１等の上述した変形例も実施の形態１、２に適用可能である。
【０２２５】
（実施の形態５）
次に、本発明の番組表送受信システムの一例である実施の形態５における番組送受信システムについて、図面を参照しながら説明する。本実施の形態５における番組送受信システムの基本的な構成は、実施の形態３と同様であるが、ＥＰＧが、公衆回線網である公衆回線網３００を経由して送信される点が異なっている。そのため、本相違点を中心に説明する。尚、実施の形態３と同様の構成については同一の符号が付されている。
【０２２６】
図２２は、本発明にかかる実施の形態５における番組送受信システムの構成を示す図である。図２２に示すように、本実施の形態５における番組送受信システムには、本発明の番組表受信端末の一例である番組受信装置２０００と、放送局１０００と、番組表配信装置１１７０が設けられている。
【０２２７】
そして、放送局１０００には、通常放送番組システム部１１１０と、見忘れ番組システム部１１２０が設けられている。通常放送番組システム部１１１０には、番組を放送する放送番組配信部１１１と、ＥＰＧを生成する番組表情報管理部１１２が設けられている。又、見忘れ番組システム部１１２０には、実施の形態３の見忘れ番組システム部１２０と異なり、見忘れ番組情報管理部１２６が設けられていない。
【０２２８】
又、本実施の形態５における番組表配信装置１１７０には、ＥＰＧを番組受信装置２００に公衆回線網３００を介して送信する番組表配信部１７４と、ＥＰＧ情報に「見忘れ有」マークを付与する見忘れ情報付与部１７３と、見忘れ番組情報抽出部１２２によって抽出された「見忘れ番組」に関する情報を受信する見忘れ番組情報受信部１７１と、受信した「見忘れ番組」に関する情報を管理する見忘れ番組情報管理部１７７と、「見忘れ番組」に関する情報に基づいて関連番組を特定する関連番組特定部１７６と、番組表情報管理部１１２からＥＰＧに関する情報を受信する番組表情報受信部１７２と、「関連番組」が番組表内に存在するか否かを判定する関連番組判定部１７５が設けられている。尚、ＥＰＧの配信は番組受信装置２０００からの要求によるものでもよく、配信タイミングは特に限定されるものではない。
【０２２９】
又、本実施の形態５における番組受信装置２０００では、公衆回線網３００を介してＥＰＧが送信されてくるため、実施の形態３の番組受信装置２００と比較して、受信部１３０で受信した情報からＥＰＧ情報を抽出する番組表情報抽出部１３１が設けられておらず、通信部１４０で受信した情報からＥＰＧ情報を抽出する番組表情報抽出部１８０が設けられている。
【０２３０】
尚、本発明の番組表情報配信部の一例は、本実施の形態の番組表配信部１７４に相当する。又、本発明の番組表情報受信部の一例は、本実施の形態の通信部１４０に相当する。
【０２３１】
次に、ＥＰＧを送信する際の番組表配信装置１１７０の動作について説明する。
【０２３２】
図２３は、本実施の形態５における番組表配信装置１１７０の制御のフロー図である。
【０２３３】
図２３において、番組表配信装置１１７０では「見忘れ番組」情報処理が開始状態に入ると（ステップＳ８０１）、はじめに、番組表情報受信部１７２が番組表情報管理部１１２からＥＰＧ情報を受信する（ステップＳ８０２）。
【０２３４】
次に、見忘れ番組情報受信部１７１が、見忘れ番組情報抽出部１２２に見忘れ情報を要求し、受信する（ステップＳ８０３）。尚、見忘れ番組情報受信部１７１は見忘れ番組情報を要求せずに、「見忘れ番組」に関する情報が送られてきてから以降の処理を行っても良い。
【０２３５】
続いて、ステップＳ８０４において、この「見忘れ番組」が格納部１２３内に存在するか否かの検索が、検索部１２４によって行われる。
【０２３６】
もし、ステップＳ８０５において、格納部１２３に「見忘れ番組」が存在しなければ、見忘れ番組情報管理部１２６が、検索部１２４によって、連続ドラマＡ１についての「見忘れ番組」の有無をチェックしたことを記録する（ステップＳ８１２）。
【０２３７】
そして、処理はステップＳ８１１へと進み、他の種類の「見忘れ番組」があるか否かについて、見忘れ番組情報管理部１７７において、判定が行われる。尚、一度、格納部１２３の中の存在をチェックした番組に関しても、後日見忘れ番組が放送局１０００の見忘れ番組システム部１１２０の格納部１２３に登録されることもあるので、定期的にチェックしても良い。
【０２３８】
一方、ステップＳ８０５において、「見忘れ番組」が格納部１２３の中に存在する場合、ステップＳ８０６において、予め定められた所定の規則に従って、「関連番組」が関連番組特定部１１６によって特定される。この関連番組の特定は、実施の形態３と同様のため説明を省略する。
【０２３９】
上記ステップＳ８０６において、「関連番組」が特定されると、ステップＳ８０７において、ＥＰＧ情報のチェックが行われ、番組表情報受信部１７２が受信したＥＰＧに関する情報（例えば、今後の２週間分のＥＰＧの番組）の中に、その「見忘れ番組」の「関連番組」があるか否かのチェックが、関連番組判定部１７５において行われる（ステップＳ８０８）。そして、ステップＳ８０８において、「関連番組」がＥＰＧに存在する場合は、その旨が見忘れ情報付与部１７３へと送信される。
【０２４０】
すると、ステップＳ８０９において、見忘れ情報付与部１７３は、ＥＰＧの連続ドラマＡ１の第３話の枠に「見忘れ有」マークを付与し（ステップＳ８０９）、ＥＰＧ情報を更新する（ステップＳ８１０）。
【０２４１】
次に、ステップＳ８１１において、他の種類の「見忘れ番組」が存在するか否かが、見忘れ番組情報管理部１７７によって、判定される。もし、他の種類の「見忘れ番組」が存在する場合には、処理は、ステップＳ８０４へと戻り、その他の種類の「見忘れ番組」が過去の所定期間内の番組の中に存在するか否かの判定が行われる。すなわち、連続ドラマＡ１に関する処理の完了後に、プロ野球の巨人阪神戦、続いて２ｃｈの２１時から始まるニュースＡ２に関して、ステップＳ８０４〜ステップＳ８１０、Ｓ８１２までの処理が行われる。
【０２４２】
そして、他の種類の「見忘れ番組」が存在しなければ、全放送局のＥＰＧ及び「見忘れ番組」について同様の処理が必要かをチェック（ステップＳ８１２）する。他の放送局のＥＰＧに対しても同様の処理が必要な場合は、処理は、ステップＳ８０４へと戻り、上記処理が繰り返される。ステップＳ８１２において、全局のチェックが完了すれば見忘れ番組に関するＥＰＧ処理を完了する（ステップＳ８１３）。
【０２４３】
本発明の実施の形態５におけるＴＶ等の番組受信装置２０００は番組表情報抽出部１８０が通信部１４０経由で全局分のＥＰＧを受信する以外の構成は実施の形態３と同じであるので他の説明を省略する。
【０２４４】
次に、ＥＰＧを受信した後の番組受信装置２０００の制御について以下に説明する。
【０２４５】
本実施の形態５における番組送受信システムでは、番組受信装置２０００は、公衆回線網３００を経由して番組表配信装置１１７０からＥＰＧを受信すると、番組表情報抽出部１８０が通信部１４０からＥＰＧを抽出する。このＥＰＧ情報を抽出した後の処理については、実施の形態３と同様であるため説明を省略する。
【０２４６】
尚、本実施の形態５における番組送受信システムにおいても、実施の形態４と同様に見忘れ番組情報管理部１２６を、放送局１０００の見忘れ番組システム部１１２０若しくは番組表配信装置１１７０内に設けても良い。
【０２４７】
又、見忘れ番組情報管理部１７７は、本実施の形態５では、番組表配信装置１１７０内に設けられているが、見忘れ番組システム部１１２０内に設けられていても良い。
【０２４８】
又、本実施の形態５においても、実施の形態３、４において説明した変形例が適用されても良い。
【０２４９】
尚、本発明の視聴とは、例えば、上記実施の形態１〜５では、チャンネルを選択して番組を受信することとしていたが、視聴したかどうかの判定は、番組が表示画面４７、１４７に表示されたこと、又は、その番組の表示が完了したこととしても良い。実際に表示されたことを視聴とすると、受信したものの録画されただけで視聴されていない番組も「見忘れ番組」扱いすることができるので、よりユーザに対して親切である。
【０２５０】
又、上記実施の形態３、４、５では、「見忘れ番組」が見忘れ番組システム部１２０、１１２０内に存在しない場合には、たとえ、ＥＰＧ内に「関連番組」が存在したとしても「見忘れ有」マークの表示は行われないが、「見忘れ番組」が見忘れ番組システム部１２０、１１２０内に存在しない場合であっても、「見忘れ有」マークの表示を行っても良い。なぜなら、たとえ見忘れ番組システム部１２０、１１２０内に「見忘れ番組」が存在しない場合でも、ユーザが見忘れていることに気付くことが出来れば、「関連番組」が放送されるまでに、録画メディア等を入手すること等ができるためである。
【０２５１】
又、上記実施の形態３、４、５では、日頃「見たい番組」を抽出しておき、過去の「見たい番組」の中に「未視聴番組」があるか否か検索し、それらから「見忘れ番組」を特定し、その「見忘れ番組」が、見忘れ番組システム部１２０、１１２０で配信可能かどうかを検索するという順番で制御処理を行うと記載したが、これらの処理の順番は適宜前後変更しても良い。
【０２５２】
例えば、上記実施の形態３、４、５では、「見忘れ番組」が特定された後、「見忘れ番組」が見忘れ番組システム部１２０、１１２０内に存在するか否かの検索が行われたが、番組受信装置２００、２０００において抽出されている「見たい番組」について、「見忘れ番組」が特定される前に、格納部１２３に存在しているか否かの検索を日頃行っておいても良い。この場合、「見たい番組」に関する情報が、定期的に放送局１００、１０００側に送信される。尚、放送局がＥＰＧを送信する際、検索を行っても良い。
【０２５３】
このように、「見たい番組」を予め検索しておく制御では、「見たい番組」が格納部１２３に存在しない場合に、「見忘れ番組」の特定等を行う必要がないため、処理が少なくて済むという効果がある。
【０２５４】
一方、「見忘れ番組」を特定した後、「見忘れ番組」が格納部１２３に有るか否かを検索する制御では、「見たい番組」を検索するよりも検索する量が少なくて済むという効果がある。
【０２５５】
尚、実施の形態３、４、５では、過去の所定の期間（３週間）のＥＰＧにおける全ての番組から「見たい番組」があるか否かを検索し、見つかった「見たい番組」のなかに「未視聴番組」があるか否かを判定し、「未視聴番組」が見つかった場合は、その番組を「見忘れ番組」として決定する処理が行われたが、このような順番でなく、「未視聴番組」を抽出した後に、この「未視聴番組」の中に「見たい番組」があるか否かの検索が行われ、見つかった番組を「見忘れ番組」と決定する制御処理が行われても構わない。要するに「見忘れ番組」を特定することができさえすれば良い。
【０２５６】
図２４は、そのような、先に「未視聴番組」を抽出する制御を行うための番組送受信システムの構成図である。図２４に示す番組受信装置２１００は、図９と比較して、見たい番組検索部１５０に代えて、未視聴番組抽出部１９０が設けられている。この未視聴番組抽出部１９０は、過去の所定の期間において、視聴履歴から「未視聴番組」を抽出する。
【０２５７】
図２５は、図２４に示す番組受信装置２１００が、ユーザからＥＰＧの表示指示を受けた場合に実行する処理の流れを示す図である。
【０２５８】
図２５に示すように、図２４に示す番組受信装置２１００では、日頃から以下のように「見忘れ番組」が決定されている。
【０２５９】
ステップＳ１０７において、履歴管理処理が開始されると、未視聴番組抽出部１９０でユーザの視聴履歴をチェックし（ステップＳ１０８）、未視聴番組が抽出される（ステップＳ１１０９）。この未視聴番組の抽出とともに、「見たい番組」の特定（ステップＳ１０９）が行われる。
【０２６０】
詳しく述べると、履歴保存部１５２に保存されている視聴履歴には、過去の所定期間における既視聴及びＥＰＧの情報が含まれているため、過去の所定期間における「未視聴番組」が、未視聴番組抽出部１９０によって抽出される。ここで、過去の所定期間とは、例えば、３週間とすることができる。
【０２６１】
尚、「見たい番組」の特定、嗜好情報の特定が、「未視聴番組」の抽出ステップの前又は後で行われても良い。
【０２６２】
次に、履歴管理部１４２では、履歴保存部１５２において管理している視聴履歴情報から「見忘れ番組」が特定される（ステップＳ１１１０、ステップＳ１１１１）。
【０２６３】
詳しく説明すると、見忘れ番組決定部１４８において、上記ステップＳ１１０９で抽出された「未視聴番組」の中に、上記ステップＳ１０９において特定された「見たい番組」が存在するか否かが検索される（ステップＳ１１１０）。ここで、複数種類の「見たい番組」がある場合には、先ず、１つの種類の番組が選択され、その選択された番組が「未視聴番組」の中にあるか否かが検索される。ここでは、連続ドラマＡ１が選択されているものとする。
【０２６４】
そして、ステップＳ１１１０で、「見たい番組」が「未視聴番組」の中に見つかった場合、ステップＳ１１１１において、その番組が「見忘れ番組」として決定される。例えば、連続ドラマＡ１の第２話が視聴されていなかった場合には、「未視聴番組」の中に、連続ドラマＡ１の第２話が存在するため、連続ドラマＡ１の第２話が「見忘れ番組」と決定される。
【０２６５】
一方、ステップＳ１１１０において、「未視聴番組」の中に、「見たい番組」が見つからなかった場合には、制御は、ステップＳ１１３へと進み、他の種類の「見たい番組」が有るか否かの判定が行われる。例えば、他の種類の「見たい番組」として、プロ野球の巨人阪神戦がある場合には（ステップＳ１１３）、制御はステップＳ１１１０へと戻り、プロ野球の巨人阪神戦についての「見たい番組」が、「未視聴番組」の中に存在するか否かのチェックが行われる。
【０２６６】
すなわち、図９の構成の番組受信装置では、過去の所定期間における「見たい番組」の中にある「未視聴番組」が「見忘れ番組」として決定されるよう制御が行われていたが、図２４の構成の番組受信装置では、過去の所定期間における「未視聴番組」の中にある「見たい番組」が、「見忘れ番組」と決定されるよう制御が行われる。
【０２６７】
このように、図２４の構成の番組受信装置では、「未視聴番組」を抽出し、「未視聴番組」の中に「見たい番組」があるか検索が行われ、図９の構成の番組受信装置では、過去の「見たい番組」を検索し、過去の「見たい番組」のなかに「未視聴番組」が有るか否かの検索が行われているが、「見たい番組」の種類が連続ドラマ等の連続番組で有る場合、「未視聴番組」を抽出又は検索しなくても良い場合があり得る。具体的に説明すると、視聴履歴に、例えば、連続ドラマの第１、２話を視聴した記録が存在すると、第３話以降が「見たい番組」として特定される。ここで、「関連番組」をその残る連続ドラマとすると、その連続ドラマの第５話がＥＰＧに存在することが確認されると、第３話及び第４話が「見忘れ番組」であることが特定できる。そこで、ＥＰＧの第５話の枠に、「見忘れ有」マークを付与することができる。
【０２６８】
又、上記実施の形態３、４、５では、「見忘れ番組」が格納部１２３に存在する場合に「関連番組」が特定されるように制御が行われるが、「関連番組」を特定する制御は、「見忘れ番組」が格納部に存在するか否かの検索（ステップＳ２０２、ステップＳ２０３）と並行に行われても良い。このような制御のフロー図が、図１１のフローの変形例として図２６に示されている。
【０２６９】
図２６に示すように、「見忘れ番組」が格納部１２３に有るか否かの検索（ステップＳ２０２、ステップＳ２０３）と並行して、「関連番組」の特定が行われる（ステップＳ１２０４）。尚、図２３のフローにおいても「関連番組」の特定が、「見忘れ番組」の検索と並行に行われても良い。
【０２７０】
又、上記実施の形態３、４、５では、放送局１００、１１００が「見忘れ番組」の検索を行っているが、番組受信装置２００、２０００、２１００側が、公衆回線網３００を介して格納部１２３の格納情報を受信し、その格納情報の検索を行う構成であっても良い。この場合、番組受信装置側に検索部が設けられる。
【０２７１】
尚、実施の形態１、２では、単に「関連番組」に「見逃し有」マークが付与される場合（図３（ｂ）、図６（ｂ）参照）、実施の形態３では、単に「関連番組」に「見忘れ有」マークが付与される場合（図１２（ｂ）参照）、「関連番組」の放送１日前までは「関連番組」の枠に「見忘れ有」マークが付与され、放送当日になると「関連番組」より放送開始時刻のはやい番組の枠に「見忘れ有」マークが付与される場合（図１５（ａ）、図１５（ｂ）参照）、及び「関連番組」の放送開始時刻の所定時間前までは「関連番組」の枠に「見忘れ有」マークが付与され、放送開始時刻の所定時間前になると「関連番組」より放送開始時刻のはやい番組の枠に「見忘れ有」マークが付与される場合について説明した。
【０２７２】
又、実施の形態４では、「関連番組」の放送開始よりも「見忘れ番組」の再生時間分前の時刻を基準とし、その時刻よりも前では、「関連番組」より放送時刻のはやい番組の枠に「見忘れ有」マークが付与され、その時刻を過ぎると、「関連番組」の枠に「見忘れ有」マークが付与される場合（図１９（ａ）、図１９（ｂ）参照）、他の複数のチャンネルに亘って「見忘れ有」マークが付与される場合（図２０参照）、及び時刻表示欄の枠に「見忘れ有」マークが表示される場合（図２１参照）について説明した。
【０２７３】
このように、「見逃し有」マーク、及び「見忘れ有」マークを付与する複数の例について上記実施の形態において説明したが、「関連番組」の開始時刻が変更された場合に、見逃し情報付与部１３、若しくは見忘れ情報付与部１１３が、「見逃し有」マーク若しくは「見忘れ有」マークの位置も変更させても良い。具体的には、図２７（ａ）に示すようなＥＰＧ１１００を例に挙げて説明すると、４ｃｈの２１時から始まる連続ドラマＢ１の第３話が「見忘れ番組」とすると、連続ドラマＢ１の第４話は、「関連番組」となる。この連続ドラマＢ１の第４話の放送開始時刻前の番組であるバラエティＢ２の枠に「見忘れ有」マーク１１０１が付されている場合、バラエティＢ２以前に放送されている野球中継Ｂ３が１時間延長されると、他の番組も１時間繰り下がるため、図２７（ｂ）のＥＰＧ１１０５に示すように、図２７（ａ）よりも１時間後に「見忘れ有」マーク１１１５が付与されることになる。又、図１１（ｂ）に示すように、「見忘れ有」マークが「関連番組」の枠に示されている場合には、「関連番組」の移動に従って、「見忘れ有」マークを移動させれば良い。
【０２７４】
又、「見忘れ有」マークが、「関連番組」と同じチャンネルの欄であって、「関連番組」よりも早い放送時刻の番組に付されている場合、「見忘れ有」マークが付されている番組の放送開始時刻までに「見忘れ番組」の視聴が行われていない場合には、見忘れ情報制御部１４５が、「見忘れ有」マークを順次繰り下げていくように制御が行われても良い。
【０２７５】
具体的に説明すると、４ｃｈで２１時から始まる連続ドラマＢ１の第３話を「見忘れ番組」とすると、「関連番組」は、図２８（ａ）のＥＰＧ１２００に示すように連続ドラマＢ１の第４話となる。このＥＰＧ１２００には、１９時から放送されるバラエティＢ１の枠に「見忘れ有」マーク１２０１が付与されている。そして、この１９時までに「見忘れ番組」の視聴が行われない場合、図２８（ｂ）に示すＥＰＧ１２１０のように、「見忘れ有」マーク１２１１が、バラエティＢ１の次の番組であるバラエティＢ２の枠に付与される。続いて、バラエティＢ２の始まる２０時までに、「見忘れ番組」が視聴されない場合には、図２８（ｃ）に示すＥＰＧ１２２０のように、「見忘れ有」マーク１２２１が、「関連番組」である連続ドラマＢ１の第４話の枠に付与される。
【０２７６】
尚、図２８（ａ）〜（ｃ）では、「見忘れ有」マーク１２０１が付与されている番組の開始時に「見忘れ番組」の視聴が行われていない場合には、「見忘れ有」マーク１２０１を以降の番組枠に移動しているが、番組が開始し、所定時間経過した後に、見忘れ情報制御部１４５によって、以降の番組枠に「見忘れ有」マーク１２０１を移動させるように制御が行われても良い。この所定時間は、任意の時間に設定してもよく、番組の放送時間に設定することもできる。
【０２７７】
又、表示画面１４７に現に表示されているＥＰＧ（スクロールをしない状態）に、「見忘れ有」マークを表示させる番組があらわれていない場合には、チャンネル番組欄のチャンネル枠にマークを付与するように制御が行われても良い。具体例を示して説明すると、４ｃｈで２１時から放送される連続ドラマＢ１の第３話を「見忘れ番組」とすると、連続ドラマＢ１の第４話が「関連番組」と特定される。そして「関連番組」に「見忘れ有」マークを付与した場合、ＥＰＧ１３００を表示画面１４７に表示させたとしても、図２９（ａ）に示すように、２０時の番組表が表示されていないため、スクロールしない限り、「見忘れ有」マークをユーザに視認させることが出来ない。そこで、「関連番組」が放送されるチャンネル表示枠に「見忘れ有」マーク１３０１が付与される（図２９（ａ）参照）。
【０２７８】
そして、画面をスクロールする等して、図２９（ｂ）に示すように、２０時台の番組表が表示されると、「見忘れ有」マーク１３１１が、「関連番組」の枠に表示されるように見忘れ情報制御部１４５によって制御が行われる。
【０２７９】
このように制御することで、「見忘れ有」マークが表示される予定の番組が、表示画面に現に表示されていない場合には、チャンネル番組欄に「見忘れ有」マークを付与することで、ユーザに「見忘れ番組」があることをより気付かせることができる。
【０２８０】
又、リモコンでＥＰＧを表示させるよう指示すると、現在放送中の番組枠が表示されるため、その番組枠に「見忘れ有」マークを表示させるように制御が行われても良い。尚、チャンネルが変更されたり、放送が次の時間帯の番組に移ると、「見忘れ有」マークも次の時間帯の番組に移動するよう制御が行われる。
【０２８１】
尚、上述した図２７〜２９の変形例も実施の形態１、２に対して適用可能である。
【０２８２】
又、上記実施の形態１〜５では、「見逃し番組」若しくは「見忘れ番組」を受信したことを本発明の視聴の一例とし、受信後、見逃し情報付与部１３若しくは見忘れ情報付与部１１３が「見逃し有」マーク若しくは「見忘れ有」マークをＥＰＧから消去すると記載したが、これに限らず、「見逃し番組」、若しくは「見忘れ番組」を表示画面１４７で表示させたこと、又「見逃し番組」、若しくは「見忘れ番組」の表示画面における表示が完了したことを本発明の視聴の一例として、表示又は表示の完了後、「見忘れ有」マークをＥＰＧから消去するようにしても良い。
【０２８３】
又、ユーザが「見逃し番組」若しくは「見忘れ番組」を見ない場合には、「見逃し番組」若しくは「見忘れ番組」が存在する旨の表示がされた番組の放送開始時、又は放送開始から一定時間経過した後に「見逃し有」マーク若しくは「見忘れ有」マークをＥＰＧから消去するように制御が行われても良い。例えば、図１２（ｂ）に示すように、「関連番組」である連続ドラマＡ１の第３話目の前に放送されるニュースＡ１の放送開始時、又は放送開始から、例えば３０分後等に「見忘れ有」マークをＥＰＧから消去しても良い。
【０２８４】
又、上記実施の形態１〜５では、ＥＰＧの「見忘れ有」マークを選択することで「見忘れ番組」が配信され、続いて「見忘れ番組」の表示が開始されるとしたが、表示を開始するタイミングは、「見忘れ番組」を選択し、受信した後、続けて「見忘れ番組」の表示を開始せず、所定のタイミングで行っても良い。このような制御を行う番組送受信システムの構成が図３０に示されている。この図３０に示す番組送受信システムには、操作入力受信部１４６が受けた信号を受けて、所定のタイミングで見忘れ番組受信部１４１に、「見忘れ番組」の受信指示を出す再生指示部１９１が設けられている。
【０２８５】
具体的に説明すると、例えば、ユーザが実施の形態４の図１９（ａ）のＥＰＧ６１０において、１８時に、「見忘れ有」マークを選択したとしても、「見忘れ有」が記入された番組の開始時刻、ここでは１９時になったら自動的に「見忘れ番組」の再生が開始されても良い。更に、図１９（ｂ）のＥＰＧ６００のように「関連番組」の枠に「見忘れ有」マーク６０１が付与されていたとしても、１９時以前の任意のタイミングで「見忘れ有」を選択しておけば、連続視聴できる時刻、すなわち１９時に「見忘れ番組」の再生が自動的に開始されても良い。尚、図３０に示す番組送受信システムは、実施の形態３の変形例であるが、この再生指示部１９１は、実施の形態１、２、４、５に適用しても良い。
【０２８６】
又、「見逃し有」マーク若しくは「見忘れ有」マークを選択することによって、「見逃し番組」若しくは「見忘れ番組」を受信して録画が開始されてもよく、又、録画予約が行われても良い。
【０２８７】
尚、上記実施の形態では、放送局１００から送信される新たなＥＰＧ情報を受信したことをトリガーとして、図１３に示すような制御が行われているが、ＥＰＧを表示させる指示をトリガーとしてステップＳ４０２〜Ｓ４０９に示す制御が行われても良い。尚、図１３のように、ＥＰＧを表示画面１４７に表示させずに、番組受信装置２００の内部で、ＥＰＧ情報を作成しておくことで、ＥＰＧの表示指示があるとすぐにＥＰＧを表示させることができる。もちろん、未視聴の判定はその時々で順次更新されることになる。
【０２８８】
尚、上記実施の形態では、ユーザに「見逃し番組」若しくは「見忘れ番組」が存在することを気付かせるために、ＥＰＧに「見逃し有」マーク若しくは「見忘れ有」マークを付与していたが、放送番組に多重して、又は放送番組と別画面で「見忘れ番組」が存在する旨を表示しても良い。図３１は、放送番組に多重して、又は放送番組と別画面で「見逃し番組」若しくは「見忘れ番組」が存在する旨の表示を行う番組送受信システムの構成を示す図であり、図９の構成の変形例である。図３１に示す番組送受信システムの番組受信装置２２００には、図９で説明した番組表表示制御部１４４の代わりに、映像合成表示制御部１９２が設けられている。そして、映像合成表示制御部１９２は、放送番組配信部１１１から配信される放送番組とＥＰＧを合成し、表示する。尚、実施の形態２、５で説明した図７、図２２に示す構成の番組送受信システムの場合、ＥＰＧは放送番組と別に受信するため、映像合成表示制御部１９２は、番組表情報抽出部１８０から抽出された番組表と、受信部１３０によって受信された放送番組を合成することになる。
【０２８９】
図３１に示す番組送受信システムでは、番組の放送中に「見忘れ番組」が存在する旨を表示するため、制御処理が行われるトリガーとしては、ＥＰＧを表示させる指示ではなく、更新されたＥＰＧ情報の受信が用いられる。
【０２９０】
例えば、２ｃｈの２０時からの連続ドラマＡ１の第２話を「見忘れ番組」とすると、図３（ａ）のＥＰＧ３０００に示す連続ドラマＡ１の第３話が、「関連番組」となる。すると、例えば、「関連番組」より前に放送されるニュースＡ１の放送中に、図３２（ａ）の表示画面１４７に示すように放送番組に多重して、「見忘れ有」マーク１６０１を表示することができる。尚、図３２（ｂ）の表示画面１４７に示すように、放送番組の下側に別画面１４７ａで「見忘れ有！連続ドラマＡ１第２話」と記載しても良い。尚、別画面に、「見忘れ有」マークを付与してＥＰＧを表示させても良い。
【０２９１】
又、図３０の構成に関しても、再生指示部を実施の形態１、２の構成に加えることで、実施の形態１、２に適用しても良い。更に、図３１の構成に関しても、映像合成表示制御部を実施の形態１、２の構成に加えることで、実施の形態１、２に適用しても良い。
【０２９２】
又、上記実施の形態では、見忘れ番組システム部１２０が設けられているが、ケーブルテレビ等のように何度も同じ放送を繰り返す場合には、見忘れ番組システム部１２０が設けられていなくても良い。このような場合、ＥＰＧには、再放送の予定の情報も表示した「見忘れ有」マークが、「関連番組」等に付与されれば良い。この「見忘れ有」マークが選択された場合には、再放送が始まると、再放送番組を表示させるようにしても良いし、再放送番組の録画予約が行われても良い。
【０２９３】
尚、「見忘れ番組」に関連する「関連番組」を決定する規則としては、上述した規則（「『見忘れ番組』が属する『見たい番組』群に属する全ての番組は、その『見忘れ番組』の『関連番組』として特定する」）に限らずそれ以外に、連続ドラマシリーズの場合、その総集編も関連番組とし、巨人阪神戦の場合、巨人のファン感謝番組放送等も関連番組としても良い。それぞれ予め規則として決めておけば良い。
【０２９４】
又、上記実施の形態１では、格納部２３に格納されている「配信可能番組」に関連する「関連番組」が特定され、その「関連番組」がＥＰＧ内の番組の中に存在する場合には、ＥＰＧ内の関連番組に「見逃し有」マークを付与する制御が行われている。このように、実施の形態１では、「配信可能番組」に関連する番組が、ＥＰＧ内の番組の中に存在するか判定されているが、ＥＰＧ内の各々の番組に関連する番組が、「配信可能番組」の中に存在するか否かが判定されてもよい。図３３は、このような構成の番組送受信システムの構成を示す図である。
【０２９５】
図３３に示す番組送受信システムでは、図１で説明した通常放送番組システム部１０に代えて、通常放送番組システム部１０１０が設けられている。この通常放送番組システム部１０１０には、通常放送番組システム部１０と比較して、関連番組判定部１５と関連番組特定部１６に代えて、関連番組判定部１０１５と関連番組特定部１０１６が設けられている。この関連番組特定部１０１６は、番組表情報管理部１２によって生成されたＥＰＧ内のそれぞれの番組に関連する「関連番組」を特定する。又、関連番組判定部１０１５は、ＥＰＧ内のそれぞれの番組に関連する「関連番組」が、「配信可能番組」内に存在するか否かの判定を行う。
【０２９６】
次に、図３３に示す番組送受信システムの制御について説明する。
【０２９７】
関連番組特定部１０１６は、ＥＰＧ内のそれぞれの番組に関連する「関連番組」を予め決められた規則に基づいて特定する。
【０２９８】
図３（ａ）に示すＥＰＧ３０００の連続ドラマＡ１の第３話を例に挙げて説明すると、連続ドラマＡ１の第３話に関連する「関連番組」は、連続ドラマＡ１の第１話、第２話、第４話・・・と特定される。この場合は、予め決められた規則とは、「連続ドラマの場合どれか１話でもＥＰＧに存在していると、その連続ドラマのシリーズ全番組が『関連番組』として特定される」という規則である。
【０２９９】
このように、「関連番組」が特定されると、関連番組判定部１０１５は、配信可能番組情報管理部２６から受信した「配信可能番組」の情報と、関連番組特定部１０１６から受信した「関連番組」の情報とを比較し、「関連番組」  が「配信可能番組」内に存在する
か否かの判定を行う。そして、「関連番組」が「配信可能番組」内に存在する場合には、その旨が見逃し情報付与部１３へと送信され、見逃し情報付与部１３は、「見逃し有」マークを付与する。
【０３００】
例えば、連続ドラマＡ１の第１話及び第２話が、「配信可能番組」の中に存在する場合には、ＥＰＧの連続ドラマＡ１の第３話の枠に「見逃し有」マークが付与される（図３（ｂ）参照）。尚、ＥＰＧ内の他の番組についても同様の処理が行われる。
【０３０１】
以上のような制御を行っても、「見逃し有」マークの付与処理を行うことが出来る。
【０３０２】
尚、本発明の関連する番組の一例は、「配信可能番組」の中に存在しＥＰＧ内の番組に関連する番組（例えば、連続ドラマＡ１  第１話及び第２話）と、ＥＰＧ内の番組の中に存在し「配信可能番組」に関連する番組（例えば、連続ドラマＡ１  第３話）に相当する。
【０３０３】
又、実施の形態２の番組送受信システムを変形することによって、上記と同様の制御が行われても良い。図３４に示す番組送受信システムの番組表送信装置１０６１では、実施の形態２の図７に示す番組送受信システムの番組表送信装置６１と異なり、関連番組判定部１５と関連番組特定部１６に代えて、関連番組判定部１０１５と関連番組特定部１０１６が設けられている。そして、関連番組特定部１０１６が、番組表情報受信部６７から受信したＥＰＧの中のそれぞれの番組に関連する「関連番組」を特定する。又、関連番組判定部１０１５は、特定された「関連番組」の情報と、配信可能番組情報管理部２６から受信した「配信可能番組」の情報とを比較し、「関連番組」が「配信可能番組」の中に存在するか否かを判定する。  
【０３０４】
又、上記図３３又は図３４の構成及び制御は、図９、図１６、図１７、図１８、図２２、図２４、図３０、図３１の番組送受信システムにも適用可能である。
【０３０５】
以上述べたように、本発明に係る番組表配信装置、番組配信装置、及び番組表送受信システムは、ＥＰＧを表示する際に、未視聴の番組に関する「見忘れ番組」が配信システムに存在することを示すことが可能となり、放送と連携した、見忘れ番組視聴等に有用である。
【０３０６】
尚、本発明に係る番組表配信装置は、ＣＰＵとそれに接続された入出力部とから構成し、上述の動作を実現する方法をプログラムにより構成し、ＣＰＵにより解釈して処理するように構成しても構わない。又、このプログラムを、コンピュータにより読み出し可能な記録媒体に記録したものであっても構わない。
【０３０７】
本発明のプログラムは、上述した本発明の番組表配信方法の少なくとも、各ステップの動作をコンピュータにより実行させるプログラムであって、コンピュータと協働して動作するプログラムである。
【０３０８】
本発明のプログラムは、上述した本発明の番組表受信方法の少なくとも、各ステップの動作をコンピュータにより実行させるプログラムであって、コンピュータと協働して動作するプログラムである。
【０３０９】
又、本発明の記録媒体は、上述した本発明の番組表配信方法の各ステップの全部又は一部の動作をコンピュータにより実行させるプログラムを記録した記録媒体であり、コンピュータにより読み取り可能且つ、読み取られた前記プログラムが前記コンピュータと協動して前記動作を実行する記録媒体である。
【０３１０】
又、本発明の記録媒体は、上述した本発明の番組表受信方法の各ステップの全部又は一部の動作をコンピュータにより実行させるプログラムを記録した記録媒体であり、コンピュータにより読み取り可能且つ、読み取られた前記プログラムが前記コンピュータと協動して前記動作を実行する記録媒体である。
【０３１１】
本発明の上記「各ステップの動作」とは、前記ステップの全部又は一部の動作を意味する。
【０３１２】
又、本発明のプログラムの一利用形態は、コンピュータにより読み取り可能な、ＲＯＭ等の記録媒体に記録され、コンピュータと協働して動作する態様であっても良い。
【０３１３】
又、本発明のプログラムの一利用形態は、インターネット等の伝送媒体、光・電波・音波等の伝送媒体中を伝送し、コンピュータにより読み取られ、コンピュータと協働して動作する態様であっても良い。
【０３１４】
又、上述した本発明のコンピュータは、ＣＰＵ等の純然たるハードウェアに限らず、ファームウェアや、ＯＳ、更に周辺機器を含むものであっても良い。
【０３１５】
尚、以上説明した様に、本発明の構成は、ソフトウェア的に実現しても良いし、ハードウェア的に実現しても良い。
【産業上の利用可能性】
【０３１６】
本発明の番組表配信装置は、ユーザが特に意識的に検索を行う必要が無く、又、日常行われるテレビ放送やテレビガイドを見る行動の中で、自然に見忘れ番組に気づくことが可能な効果を有し、番組配信装置、番組表受信装置、及び番組表送受信システム等として有用である。
【符号の説明】
【０３１７】
１、６０、１００、１０００、１１００  放送局
３、３００  公衆回線網
４、６２、２００、２０００、２１００、２２００  番組受信装置
１０、６３、１１０、１１１０  通常放送番組システム部
１１、１１１  放送番組配信部
１２、１１２  番組表情報管理部
１３  見逃し情報付与部
１４、１１４  番組表多重部
１５、１１５、１７５  関連番組判定部
１６、１１６、１５４、１７６  関連番組特定部
２０、１２０  見逃し番組システム部
２２  配信可能番組情報抽出部
２３、１２３  格納部
２５  見逃し番組配信部
２６  配信可能番組情報管理部
３０、１３０  受信部
３１、１３１、１８０  番組表情報抽出部
４０、１４０  通信部
４１  見逃し番組受信部
４２  履歴管理部
４３  嗜好情報抽出部
４４、１４４  番組表表示制御部
４５  見逃し情報制御部
４６、１４６  操作入力受信部
４７、１４７  表示画面
１４７ａ  別画面
４９、１５３  嗜好情報保存部
５１、１５１  履歴作成部
５２、１５２  履歴保存部
６１、１１７０  番組表配信装置
６４  見逃し番組システム部
６５、１７４  番組表配信部
６６  配信可能番組情報受信部
６７、１７２  番組表情報受信部
６８  番組表情報抽出部
１１３  見忘れ情報付与部
１１７  見忘れ番組時間管理部
１２０  見忘れ番組システム部
１２２  見忘れ番組情報抽出部
１２４  検索部
１２５  見忘れ番組配信部
１２６、１７７  見忘れ番組情報管理部
１２７、１４８  見忘れ番組決定部
１３２  番組表情報管理部
１４１  見忘れ番組受信部
１４２  履歴管理部
１４３  嗜好情報抽出部
１４５  見忘れ情報制御部
１４９  見たい番組特定部
１５０  見たい番組検索部
１７１  見忘れ番組情報受信部
１７３  見忘れ情報付与部
１９０  未視聴番組抽出部
１９１  再生指示部
１９２  映像合成表示制御部
４００、４１０、１１００、１１０５、１２００、１２１０、１２２０、１３００、３０００、３００１、３００４、３００７、５００、５１０、６００、６１０、７００、７１０、８００、８１０  ＥＰＧ
４０１、４１１、５０１、５１１、６０１、６１１、７０１、７１１、８０１、８１１、１１０１、１１１５、１２０１、１２１１、１２２１、１３０１、１３１１、１６０１  「見忘れ有」マーク
８１０  携帯電話
８２０  通信事業者側装置
８２１  基地局
８２２  移動通信制御局
８３０  サービスセンタ
８３１  放送番組表サービスサーバ
８３２  データベース
８４０  テレビ放送局
８５０  家庭
８５１  録画装置
８５２  テレビ受信機
８６０  インターネット
３００２、３００５、３００６  「見逃し有」マーク
【図１】
0005462200.tif 000002
【図２】
0005462200.tif 000003
【図３】
0005462200.tif 000004
【図４】
0005462200.tif 000005
【図５】
0005462200.tif 000006
【図６】
0005462200.tif 000007
【図７】
0005462200.tif 000008
【図８】
0005462200.tif 000009
【図９】
0005462200.tif 000010
【図１０（ａ）】
0005462200.tif 000011
【図１０（ｂ）】
0005462200.tif 000012
【図１０（ｃ）】
0005462200.tif 000013
【図１１】
0005462200.tif 000014
【図１２】
0005462200.tif 000015
【図１３】
0005462200.tif 000016
【図１４】
0005462200.tif 000017
【図１５】
0005462200.tif 000018
【図１６】
0005462200.tif 000019
【図１７】
0005462200.tif 000020
【図１８】
0005462200.tif 000021
【図１９】
0005462200.tif 000022
【図２０】
0005462200.tif 000023
【図２１】
0005462200.tif 000024
【図２２】
0005462200.tif 000025
【図２３】
0005462200.tif 000026
【図２４】
0005462200.tif 000027
【図２５】
0005462200.tif 000028
【図２６】
0005462200.tif 000029
【図２７】
0005462200.tif 000030
【図２８（ａ）】
0005462200.tif 000031
【図２８（ｂ）】
0005462200.tif 000032
【図２８（ｃ）】
0005462200.tif 000033
【図２９】
0005462200.tif 000034
【図３０】
0005462200.tif 000035
【図３１】
0005462200.tif 000036
【図３２】
0005462200.tif 000037
【図３３】
0005462200.tif 000038
【図３４】
0005462200.tif 000039
【図３５】
0005462200.tif 000040